(57)【要約】【課題】被検体に対する診断精度を向上させる。【解決手段】放射線検査装置１は、Ｘ線を放射するＸ線源９，γ線の検出信号を出力するγ線検出部でありＸ線の検出信号を出力するＸ線検出部である放射線検出部６５を備える。Ｘ線源９はベッド１６の周囲を移動する。放射線検出部６５はベッド１６の長手方向に複数の放射線検出器４が配置されてベッド１６の周囲に位置している。Ｘ線検出部は、ベッドの長手方向においてγ線検出部の一端とγ線検出部の他端との間に形成される領域に位置している。Ｘ線源９もその領域内に位置する。Ｘ線検出部がその領域内に位置しているため、検査中に被検診者３５が動いたとしても、γ線検出信号により得られる第１情報を用いて作成されるＰＥＴ像と、Ｘ線検出信号により得られる第２情報を用いて作成されるＸ線ＣＴ像の合成を精度良く行うことができる。【選択図】図１
2006231083.tif 000002
【特許請求の範囲】
【請求項１】
ベッドの周囲を移動してＸ線を放射するＸ線源と、前記ベッドの長手方向に複数の放射線検出器が配置されて前記ベッドの周囲に位置し、γ線の検出信号を出力するγ線検出部と、Ｘ線の検出信号を出力するＸ線検出部とを備え、
前記Ｘ線検出部の少なくとも一部は、前記ベッドの長手方向において前記γ線検出部の一端と前記γ線検出部の他端との間に形成される領域に位置していることを特徴とする放射線検査装置。
【請求項２】
ベッドの周囲を移動してＸ線を放出するＸ線源と、
前記ベッドの長手方向に複数の放射線検出器が配置されて前記ベッドの周囲に位置し、γ線を検出してそのγ線の検出信号を出力するγ線検出部と、
前記γ線を検出する位置で、前記Ｘ線を検出してそのＸ線の検出信号を出力するＸ線検出部と
を備えたことを特徴とする放射線検査装置。
【請求項３】
前記Ｘ線源が前記領域内に位置する請求項１または請求項２に記載の放射線検査装置。
【請求項４】
前記γ線検出部及び前記Ｘ線検出部は、一体となって、前記γ線検出部であり前記Ｘ線検出部である放射線検出部を構成し、前記放射線検出部は前記γ線検出信号及び前記Ｘ線検出信号の両方を出力する複数の前記放射線検出器で構成される請求項１または請求項２に記載の放射線検査装置。
【請求項５】
被検体にＸ線を照射するＸ線源と、
前記Ｘ線源から照射されて前記被検体を透過するＸ線を検出し、このＸ線の検出信号を出力するＸ線検出部と、
前記Ｘ線を照射している前記被検体の位置で前記被検体から放出されるγ線を検出し、このγ線の検出信号を出力するγ線検出部と
を備えたことを特徴とする放射線検査装置。
【請求項６】
被検体を乗せるベットと、前記ベットの長手方向と略平行方向に配置され、γ線の検出信号を出力するγ線検出部と、前記長手方向において前記γ線検出部の一端とその他端との間に形成される領域内に位置するＸ線源と、Ｘ線の検出信号を出力するＸ線検出部とを備えたことを特徴とする放射線検査装置。
【請求項７】
被検体を乗せるベットと、前記ベットの長手方向と略平行方向に配置されてその長手方向に間隔をおいて複数の間隙が形成され、γ線の検出信号を出力するγ線検出部と、Ｘ線の検出信号を出力するＸ線検出部と、前記間隙を通して前記被検体に前記Ｘ線を照射するＸ線源と、前記Ｘ線源を前記長手方向に移動させるＸ線源移動装置とを有することを特徴とする放射線検査装置。
【請求項８】
前記Ｘ線源移動装置を前記長手方向に案内する第１のガイド装置と、前記Ｘ線源移動装置を前記ベッドの周囲で前記長手方向と交差する方向にガイドする第２のガイド装置とを備えた請求項７記載の放射線検査装置。
【請求項９】
前記γ線検出部は前記ベッドの周囲に配置され、前記Ｘ線検出部は、前記γ線検出部の外側に配置され、前記γ線検出部に形成された間隙を通過する前記Ｘ線を検出する請求項７記載の放射線検査装置。
【請求項１０】
前記γ線検出部は前記ベッドの周囲に配置され、前記Ｘ線検出部は、前記γ線検出部の内側に配置される請求項７記載の放射線検査装置。
【請求項１１】
被検体を乗せるベットと、γ線検出装置と、前記γ線検出装置に着脱自在に取り付けられたＸ線検出装置とを備え、
前記γ線検出装置は、前記ベットの長手方向と略平行方向に配置され、γ線の検出信号を出力するγ線検出部を有し、
前記Ｘ線検出装置は、Ｘ線の検出信号を出力するＸ線検出部と、前記γ線検出部に形成された間隙を通して前記被検体に前記Ｘ線を照射するＸ線源と、前記Ｘ線源を前記長手方向に移動させるＸ線源移動装置と
を有することを特徴とする放射線検査装置。
【請求項１２】
前記γ線検出部及び前記Ｘ線検出部は、一体となって、前記γ線検出部であり前記Ｘ線検出部である放射線検出部を構成し、前記放射線検出部は前記γ線検出信号及び前記Ｘ線検出信号を出力する複数の放射線検出器で構成される請求項５ないし請求項７、及び請求項１１のいずれかに記載の放射線検査装置。
【請求項１３】
被検体を乗せるベッドと、撮像装置と、制御装置とを備え、
前記撮像装置は、複数の第１放射線検出器を有し、前記ベッドの周囲に位置するγ線検出部と、複数の第２放射線検出器を有し、Ｘ線の検出信号を出力するＸ線検出部と、前記被検体にＸ線を放出するＸ線源と、前記Ｘ線源を、前記ベッドの周囲における周方向に移動させる第１Ｘ線源移動手段とを含んでおり、
前記制御装置は、複数の放射線検出器と電源とを接続して前記複数の放射線検出器に電圧を印加させ、前記放射線検出器への電圧印加時から設定時間が経過した時点で前記Ｘ線源からＸ線を放出し、前記Ｘ線を放出した前記Ｘ線源を、前記第１Ｘ線源移動装置を用いて前記周方向に移動させる制御を行うことを特徴とする放射線検査装置。
【請求項１４】
それぞれの前記第１放射線検出器からのγ線の検出信号を入力し、第１情報を出力する第１信号処理装置と、前記第２放射線検出器からの前記Ｘ線の検出信号を入力して第２情報を出力し、前記第２放射線検出器毎に設けられた第２信号処理装置とを備えた請求項
１３記載の放射線検査装置。
【請求項１５】
前記Ｘ線源を前記ベッドの周囲で周方向に移動させる第１Ｘ線源移動装置、及び前記Ｘ線源を前記ベッドの長手方向に移動させる第２Ｘ線源移動装置を備え、
前記制御装置は、前記第１Ｘ線源移動装置の前記周方向へ移動、及び前記第２Ｘ線源移動装置の前記軸方向への移動を制御する請求項１３または請求項１４に記載の放射線検査装置。
【請求項１６】
前記γ線検出部及び前記Ｘ線検出部は、一体となって、前記γ線検出部であり前記Ｘ線検出部である放射線検出部を構成し、前記放射線検出部を構成する前記第１及び第２放射線検出器が前記γ線検出信号及び前記Ｘ線検出信号を出力する複数の放射線検出器である請求項１３記載の放射線検査装置。
【請求項１７】
前記γ線検出部及び前記Ｘ線検出部は別々に設けられており、前記γ線検出部は前記γ線検出信号を出力する複数の放射線検出器を有し、前記Ｘ線検出部は前記Ｘ線検出信号を出力する複数の放射線検出器を有する請求項１，請求項５ないし請求項８、及び請求項
１３のいずれかに記載の放射線検査装置。
【請求項１８】
前記放射線検出器は半導体放射線検出器である請求項４，請求項１２，請求項１６及び請求項１７のいずれかに記載の放射線検査装置。
【請求項１９】
被検体を乗せるベットと、前記被検体より放射されるγ線を検出する放射線検出器と、前記被検体にＸ線を照射するＸ線源とを有し、前記放射線検出器は前記被検体を透過した前記Ｘ線を検出するものであって、前記放射線検出器から出力された前記γ線の検出信号及び前記Ｘ線の検出信号を入力する信号処理手段を備えたことを特徴とする放射線検査装置。
【請求項２０】
前記Ｘ線源をベッドの長手方向に移動させるＸ線源移動装置を備えた請求項１，請求項２，請求項５，請求項６及び請求項１９のいずれかに記載の放射線検査装置。
【請求項２１】
前記γ線検出信号より得られた第１情報及び前記Ｘ線検出信号より得られた第２情報を用いて断層像情報を作成する断層像作成装置を備えた請求項１，請求項２，請求項４ないし請求項７，請求項１１ないし請求項１３，請求項１６，請求項１７、及び請求項１９のいずれかに記載の放射線検査装置。
【請求項２２】
前記γ線検出信号より得られた第１情報を用いて第１断層像情報を作成し、前記Ｘ線検出信号より得られた第２情報を用いて第２断層像情報を作成し、及び前記第１断層像情報及び第２断層像情報を含む第３断層像情報を作成する断層像作成装置を備えた請求項１，請求項２，請求項４ないし請求項７，請求項１１ないし請求項１３，請求項１６，請求項１７、及び請求項１９のいずれかに記載の放射線検査装置。
【請求項２３】
それぞれの前記放射線検出器からのγ線の検出信号を入力し、放射性薬剤が集積した部位を含む第１断層像情報の作成に用いられる第１情報を出力する第１信号処理装置と、前記放射線検出器からの前記Ｘ線の検出信号を入力して骨を含む第２断層像情報の作成に用いられる第２情報を出力し、前記放射線検出器毎に設けられる第２信号処理装置とを備えた請求項４，請求項１２及び請求項１６のいずれかに記載の放射線検査装置。
【請求項２４】
前記第１情報及び前記第２情報を用いて断層像情報を作成する断層像作成装置を備えた請求項２３記載の放射線検査装置。
【請求項２５】
前記第１信号処理装置は、
前記放射線検出器からの前記γ線検出信号を入力し、前記放射線検出器毎に設けたγ線検出信号処理装置と、
各前記γ線検出信号処理装置からのそれぞれの出力信号を入力し、前記第１情報である、設定時間内に前記γ線を検出した一対の前記放射線検出器のそれぞれの位置情報、及び検出された前記γ線の計数情報の各情報を出力する計数装置とを有し、
前記位置情報、前記計数情報及び前記第２情報を用いて断層像情報を作成する断層像作成装置とを備えた請求項２３記載の放射線検査装置。
【請求項２６】
放射性薬剤が投与された被検体を透過した前記Ｘ線を検出し、
前記Ｘ線を照射している前記被検体の位置で、前記被検体内の前記放射性薬剤に起因して放出されるγ線を検出することを特徴とする放射線検査方法。
【請求項２７】
前記γ線は、前記被検体内のＸ線が透過する部位から放出されるγ線である請求項２６記載の放射線検査方法。
【請求項２８】
被検体内の放射性薬剤が集積した部位より放出されるγ線を検出し、前記被検体にＸ線を照射して前記部位を透過するＸ線を検出し、それらの放射線の検出の際には前記被検体はベットに載置されており、前記被検体が載置された前記ベッドが前記部位を透過する前記Ｘ線の検出している位置に存在する状態で、前記部位から放出される前記γ線を検出する放射線検査方法。
【請求項２９】
被検体内の放射性薬剤が集積した部位より放出されるγ線を検出し、前記被検体にＸ線を照射して前記部位を透過するＸ線を検出し、それらの放射線の検出の際には前記被検体はベットに載置されており、前記γ線は前記ベットの長手方向と略平行方向に並んで配置された複数の放射線検出器を含むγ線検出部により検出され、前記Ｘ線は前記γ線検出部に形成される間隙を通って前記被検体の前記部位に照射される放射線検査方法。
【請求項３０】
前記被検体の前記部位を透過したＸ線は前記γ線検出部に形成された間隙を通ってＸ線検出部によって検出される請求項２９記載の放射線検査方法。
【請求項３１】
被検体内の放射性薬剤が集積した部位より放出されるγ線を検出し、前記被検体にＸ線を照射して前記部位を透過するＸ線を検出し、それらの放射線の検出の際には前記被検体はベットに載置されており、前記γ線は前記ベットの長手方向と略平行方向に並んで配置された複数の放射線検出器を含むγ線検出部で検出され、前記Ｘ線は前記方向における前記γ線検出部の一端とその他端との間で前記被検体に照射される放射線検査方法。
【請求項３２】
被検体の断層像情報の作成に必要とするγ線の検出信号を得るための放射線検査期間内で前記被検体から放出されたγ線を検出し、前記放射線検査期間内で、前記被検体を透過したＸ線を検出することを特徴とする放射線検査方法。
【請求項３３】
前記放射線検査期間内の一部の期間で前記Ｘ線を検出する請求項３２記載の放射線検査方法。
【請求項３４】
放射線検査装置に設置された複数の放射線検出器が被検体から放出されるγ線を検出し、ある時点でそれらの前記放射線検出器の一部を用いて前記被検体を透過したＸ線を検出することを特徴とする放射線検査方法。
【請求項３５】
放射線検査装置に設けられた複数の放射線検出器のうち、一部の前記放射線検出器が被検体を透過したＸ線を検出し、前記一部の放射線検出器が前記Ｘ線を検出しているとき、前記被検体から放出されたγ線を前記一部の放射線検出器以外の前記放射線検出器で検出することを特徴とする放射線検査方法。
【請求項３６】
被検体の断層像情報の作成に必要とするγ線の検出信号を得るための放射線検査期間内で被検体から放出されるγ線を検出し、前記γ線の検出信号をγ線検出信号処理装置に入力し、前記被検体を透過したＸ線を検出し、前記Ｘ線の検出信号をＸ線検出信号処理装置に入力し、前記γ線を検出している前記放射線検査期間内で前記Ｘ線検出信号を前記Ｘ線検出信号処理装置に入力することを特徴とする放射線検査方法。
【請求項３７】
放射線検査装置に設置された放射線検出器が被検体から放出されるγ線の検出信号を出力し、そのγ線の検出信号を出力している状態で、前記放射線検査装置に設置されたＸ線源から前記被検体にＸ線を照射し、前記被検体を透過したＸ線を前記放射線検査装置に設置された、前記γ線検出信号を出力している前記放射線検出器及び他の放射線検出器のいずれかで検出することを特徴とする放射線検査方法。
【請求項３８】
複数の放射線検出器，Ｘ線を放出するＸ線源、及び前記Ｘ線源を被検体の周囲に移動させるＸ線源移動装置を備えた放射線検査装置を用いて行う放射線検査方法であって、
電圧が印加された前記放射線検出器によって前記被検体から放出されるγ線を検出し、前記γ線の検出期間内の設定時点でＸ線源を制御してこのＸ線源からＸ線を放出し、前記Ｘ線を放出した前記Ｘ線源を、前記Ｘ線源移動装置を用いて前記被検体の周囲に移動させ、前記被検体を透過した前記Ｘ線をある前記放射線検出器で検出し、前記ある放射線検出器での前記Ｘ線の検出は他の前記放射線検出器で前記γ線が検出されているときに行われることを特徴とする放射線検査方法。
【請求項３９】
前記γ線の検出と前記Ｘ線の検出は共用の放射線検出器で検出する請求項２６，請求項２８，請求項２９，請求項３１ないし請求項３４，請求項３６及び請求項３８のいずれかに記載の放射線検査方法。
【請求項４０】
前記Ｘ線を検出する放射線検出器は、前記γ線を検出した放射線検出器を用いる請求項３９記載の放射線検査方法。
【請求項４１】
前記Ｘ線を検出する際に、前記Ｘ線を照射するＸ線源を前記被検体の周りで移動させる請求項２６，請求項２８，請求項２９及び請求項３１ないし請求項３９のいずれかに記載の放射線検出方法。
【請求項４２】
前記Ｘ線を放出するＸ線源をベットの長手方向に移動させる請求項２６，請求項２８ないし請求項３２，請求項３４ないし請求項３９、及び請求項４１のいずれかに記載の放射線検出方法。
【請求項４３】
前記γ線検出信号より得られた第１情報及び前記Ｘ線検出信号より得られた第２情報を用いて断層像情報を作成する請求項２６，請求項２８，請求項２９，請求項３１，請求項３２，請求項３４及び請求項３５のいずれかに記載の放射線検査方法。
【請求項４４】
前記γ線の検出信号により得られる第１情報を用いて第１断層像情報を生成し、前記Ｘ線の検出信号により得られる第２情報を用いて第２断層像情報を生成し、前記第１断層像情報及び第２断層像情報を含む前記被検体に対する第３断層像情報を作成する請求項２６ないし請求項４２のいずれかに記載の放射線検査方法。
【請求項４５】
前記γ線の検出信号をγ線検出信号処理装置に入力し、前記Ｘ線の検出信号をＸ線検出信号処理装置に入力する請求項２６，請求項２８，請求項２９，請求項３１，請求項３２，請求項３４及び請求項３５のいずれかに記載の放射線検査方法。
【請求項４６】
放射線検査支援事業者は、被検体の断層像情報の作成に必要とするγ線の検出信号を得るための放射線検査期間内で前記被検体から放出されるγ線を検出し、前記γ線を検出する前記放射線検査期間内で、前記被検体を透過したＸ線を検出し、前記γ線の検出信号及び前記Ｘ線の検出信号を用いて前記被検体の断層像情報を作成し、前記放射線検査支援事業者は作成された前記断層像情報を医療機関に提供することを特徴とする放射線検査支援方法。
【請求項４７】
前記Ｘ線の検出は前記放射線検査期間の一部の期間で行う請求項４６記載の放射線検査支援方法。
【請求項４８】
Ｘ線検出信号を得る前記Ｘ線の検出は、γ線検出信号を得る前記γ線の検出を行う放射線検出器を用いて行う請求項４６または請求項４７記載の放射線検査支援方法。
【請求項４９】
放射線検査支援事業者から前記医療機関への前記断層像情報の提供は通信回線を介して行う請求項４６ないし請求項４８のいずれかに記載の放射線検査支援方法。
【請求項５０】
前記γ線検出部及び前記Ｘ線検出部が、別々に設けられている請求項２０記載の放射線検査装置。
【請求項５１】
前記γ線検出部γ線の検出信号を入力し、放射性薬剤が集積した部位を含む第１断層像情報の作成に用いられる第１情報を出力する第１信号処理装置と、前記Ｘ線検出部からの前記Ｘ線の検出信号を入力して骨を含む第２断層像情報の作成に用いられる第２情報を出力し、前記Ｘ線検出部の前記放射線検出器毎に設けられる第２信号処理装置とを備えた請求項５０に記載の放射線検査装置。
【請求項５２】
前記第１信号処理装置は、
前記γ線検出部に含まれた放射線検出器からの前記γ線検出信号を入力し、前記放射線検出器毎に設けたγ線検出信号処理装置と、
各前記γ線検出信号処理装置からのそれぞれの出力信号を入力し、前記第１情報である、設定時間内に前記γ線を検出した一対の前記放射線検出器のそれぞれの位置情報、及び検出された前記γ線の計数情報の各情報を出力する計数装置とを有し、
前記位置情報，前記計数情報及び前記第２情報を用いて断層像情報を作成する断層像作成装置とを備えた請求項５１記載の放射線検査装置。
【請求項５３】
前記γ線検出部は前記ベットの長手方向に間隔をおいて複数の間隙を有しており、前記Ｘ線源は、前記間隙を通して前記被検体に前記Ｘ線を照射できるように配置されており、前記Ｘ線検出部は、前記被検体を透過した前記Ｘ線を検出する請求項５２記載の放射線検査装置。
【請求項５４】
前記被検体を透過して前記間隙を通過した前記Ｘ線を検出する請求項５３記載の放射線検査装置。
【請求項５５】
入力した前記放射線検出器の前記出力信号から前記Ｘ線検出信号と前記γ線検出信号とを分離し、かつ前記複数の放射線検出器の各々に接続された信号分離装置を備えた請求項４記載の放射線検査装置。
【請求項５６】
前記γ線検出信号より得られた第１情報及び前記Ｘ線検出信号より得られた第２情報を用いて断層像を作成する断層像作成装置を備えた請求項５５に記載の放射線検査装置。
【発明の詳細な説明】
【技術分野】
【０００１】
本発明は、放射線を利用した放射線検査装置及び放射線検査方法に係り、特にＸ線ＣＴ及び陽電子放出型ＣＴ（ポジトロン・エミッション・コンピューテッド・トモグラフィ
(Positron Emission Computed Tomography )、以下、ＰＥＴという）による放射線検査、またはＸ線ＣＴ及び単光子放出型ＣＴ（シングル・フォトン・エミッション・コンピューテッド・トモグラフィ（Single Photon Emission Computed Tomography））、以下、
ＳＰＥＣＴという）による放射線検査を行うのに好適な放射線検査装置及び放射線検査方法に関するものである。
【背景技術】
【０００２】
人体を被検体とする放射線検査としては、Ｘ線ＣＴ，ＰＥＴ及びＳＰＥＣＴ等がある。ＰＥＴ及びＳＰＥＣＴは、人体から放出された放射線の積分値（飛翔方向）の物理量を計測し、その積分値を逆投影することにより人体内の各ボクセルの物理量を計算し画像化する。この画像化のためには膨大なデータを処理する必要がある。近年のコンピュータ技術の急速な発達は、人体の断層像を高速・高精細に提供できるようになった。
【０００３】
ＰＥＴ及びＳＰＥＣＴは、Ｘ線ＣＴ等では検出できない分子生物学レベルでの機能及び代謝の検出が可能であり、被検診者の体内の機能画像を提供することができる。
【０００４】
ＰＥＴは、陽電子放出核種(15Ｏ，13Ｎ，11Ｃ，18Ｆ等で、半減期は２分から１１０分)を含む放射性薬剤（以下、ＰＥＴ用薬剤という）を被検診者に投与し、そのＰＥＴ用薬剤が体内のどの部位で多く消費されているかを調べる方法である。ＰＥＴ用薬剤の一例として、フルオロデオキシグルコース（２−［Ｆ−１８］fluoro−２−deoxy−Ｄ−glucose、
18ＦＤＧ）がある。18ＦＤＧは、糖代謝により腫瘍組織に高集積するため、腫瘍部位の特定に使用される。特定の個所に集積したＰＥＴ用薬剤に含まれた陽電子放出核種から放出された陽電子が、付近の細胞の電子と結合して消滅し、５１１ｋｅＶのエネルギーを有する一対のγ線を放射する。これらのγ線は、互いにほぼ正反対の方向(１８０°±０.６°) に放射される。この一対のγ線（γ線対という）を放射線検出器で検知すれば、どの２つの放射線検出器の間で陽電子が放出されたかがわかる。多数のγ線対を検知することで、ＰＥＴ用薬剤を多く消費する場所がわかる。例えば、18ＦＤＧは前述のように糖代謝の激しい癌細胞に集まるため、ＰＥＴにより癌病巣を発見することが可能である。なお、得られたデータは、アイトリプルイー  トランザクション  オン  ニュークリア  サイエンス（IEEE Transaction on Nuclear Science)ＮＳ−２１巻の２２８〜２２９頁に記載されているフィルタードバックプロジェクション法（Filtered Back Projection Method)により各ボクセルの放射線発生密度に変換され、γ線の発生位置（放射線核種が集積する位置、すなわち癌細胞の位置）を画像化することに貢献する。
【０００５】
ＳＰＥＣＴは、特定の腫瘍や分子に集積する性質を有する物質，単光子放出核種
（99Ｔｃ，67Ｇａ，201Ｔｌ等）を含む放射性薬剤（ＳＰＥＣＴ用薬剤という）を被検診者に投与し、体内のその核種から放出されるγ線をγ線検出器で検出する。単光子放出核種から放出されるγ線のエネルギーは数１００ｋｅＶ前後である。ＳＰＥＣＴ用薬剤は癌の患部等に集積するため、癌患部を特定できる。ＳＰＥＣＴの場合も、得られたデータはフィルタードバックプロジェクションなどの方法により各ボクセルのデータに変換される。なお、ＳＰＥＣＴでもトランスミッション像を撮影することがしばしばある。99Ｔｃ，
67Ｇａ，201Ｔｌは、ＰＥＴに用いられる放射性同位元素の半減期よりも長く６時間から３日である。
【０００６】
上述のようにＰＥＴ及びＳＰＥＣＴは、体内代謝を利用して機能画像を得るために、放射性薬剤が集積した部位をコントラスト良く抽出できるが、周辺臓器との位置関係を把握できない問題がある。そこで、近年、Ｘ線ＣＴによって得られた断層像である形態画像と、ＰＥＴまたはＳＰＥＣＴによって得られた断層像である機能画像とを合成してより高度な診断を行う技術が注目されている。本技術の一例として、特開平７−２０２４５号公報記載の技術がある。
【０００７】
特開平７−２０２４５号公報記載の放射線検査装置は、Ｘ線ＣＴ検査装置とＰＥＴ検査装置とを直列に設置し、被検診者が横たわっているベッドを水平方向に移動させて両検査装置を用いて被検診者の検査を行う。すなわち、Ｘ線ＣＴ検査装置を用いて被検診者に対するＸ線ＣＴ検査を行い、その後、ＰＥＴ検査装置を用いてその被検診者に対するＰＥＴ検査を行う。２つの検査装置で得られたそれぞれの撮像データであるＰＥＴデータとＸ線ＣＴデータとを合成し、被検診者の病巣位置の特定を行っている。
【０００８】
特開平９−５４４１号公報は、ベッドを兼用して、Ｘ線ＣＴ検査装置とＳＰＥＣＴ検査装置を直列に配置した放射線検査装置を記載している。各検査装置で得られた撮像データであるＸ線ＣＴデータとＳＰＥＣＴデータとを合成し、被検診者の病巣位置の特定を行っている。
【０００９】
【特許文献１】特開平７−２０２４５号公報
【特許文献２】特開平９−５４４１号公報
【発明の開示】
【発明が解決しようとする課題】
【００１０】
上記の各公開公報に記載された放射線検査装置では、異なる２つの検査は位置がずれた状態で行われている、必然的に両検査には時間的な間隔があいてしまう。
【００１１】
本発明の目的は、被検体に対する診断精度を向上できる放射線検査装置及び放射線検査方法を提供することにある。
【課題を解決するための手段】
【００１２】
上記の目的を達成する第１発明の特徴は、Ｘ線検出部の少なくとも一部は、ベッドの長手方向においてγ線検出部の一端とγ線検出部の他端との間に形成される領域に位置していることにある。Ｘ線検出部はＸ線検出信号を出力し、γ線検出部はγ線検出信号を出力する。
【００１３】
第１発明は、Ｘ線検出部の少なくとも一部が上記領域内に位置しているため、ベッドの移動によらないで被検体が検査中に動いた場合でも、γ線検出部から出力されたγ線検出信号より得られた第１情報、及びＸ線検出部から出力されたＸ線検出信号より得られた第２情報を用いて作成された被検体の断層像の精度を向上することができる。これは、その断層像を用いることにより、被検体に対する診断精度を向上させることができる。具体的には癌の患部の位置及び大きさを精度良く認識できる。特に、小器官であるリンパ腺の癌を精度良く診断できる。
【００１４】
具体的には、作成された断層像は、第１情報を用いて作成された第１断層像情報（例えば、放射性薬剤が集積した部位（癌の患部）の画像を含む、）と、第２情報を用いて作成された第２断層像情報（例えば、骨の画像を含む）とを合成することによって作成される。Ｘ線検出部が上記領域内に位置しているため、第１断層像情報と第２断層像情報との合成を精度良く行うことができ、断層像の精度が向上する。
【００１５】
好ましくは、Ｘ線検出部は、ベッドの長手方向においてγ線検出部の一端とγ線検出部の他端との間に形成される領域に位置しているとよい。
【００１６】
好ましくは、γ線検出部及びＸ線検出部は、一体となって、γ線検出部でありＸ線検出部である放射線検出部を構成し、この放射線検出部はγ線検出信号及びＸ線検出信号の両方を出力する放射線検出器で構成されることが望ましい。これによれば、γ線検出部及びＸ線検出部を別々に設ける必要がなく、γ線検出部及びＸ線検出部の両方の機能を有する放射線検出部が形成される。この放射線検出部は、γ線検出信号及びＸ線検出信号の両方を出力する。このため、放射線検査装置がコンパクトになる。
【００１７】
上記の目的を達成する第２発明の他の特徴は、ベッドの周囲に位置し、γ線を検出してそのγ線の検出信号を出力するγ線検出部と、γ線を検出する位置で、Ｘ線を検出してそのＸ線の検出信号を出力するＸ線検出部とを備えたことにある。γ線を検出する位置で、Ｘ線を検出してそのＸ線の検出信号を出力するＸ線検出部とを備えているので、ベッドの移動によらないで検査中に被検体が動いた場合でも第１発明と同様に精度の良い断層像を得ることができる。このため、被検体に対する診断精度を向上させることができる。
【００１８】
上記の目的を達成する第３発明の他の特徴は、Ｘ線を照射している被検体の位置で被検体から放出されるγ線を検出し、このγ線の検出信号を出力するγ線検出部を設けたことにある。第３発明も、ベッドの移動によらないで検査中に被検体が動いた場合でも第１発明と同様に精度の良い断層像を得ることができる。
【００１９】
上記の目的を達成する第４発明の他の特徴は、長手方向におけるγ線検出部の一端とその他端との間に形成される領域内に位置するＸ線源と、Ｘ線の検出信号を出力するＸ線検出部とを備えたことにある。第４発明は、その領域内にＸ線源が位置するため、被検体にＸ線を照射し、γ線検出部で被検体から放出されるγ線を検出することができる。このため、ベッドの移動によらないで検査中に被検体が動いた場合でも第１発明と同様に精度の良い断層像を得ることができる。
【００２０】
上記の目的を達成する第５発明の他の特徴は、ベッドの長手方向に間隔をおいて複数の間隙が形成され、γ線の検出信号を出力するγ線検出部と、Ｘ線の検出信号を出力するＸ線検出部と、その間隙を通して被検体にＸ線を照射するＸ線源と、Ｘ線源をその長手方向に移動させるＸ線源移動装置とを有することにある。第５発明は、γ線検出部に形成された間隙を通過したＸ線を被検体に照射でき、被検体を透過したＸ線がＸ線検出部で検出し、γ線がγ線検出部で検出できるので、第１発明と同様に被検体に対する診断精度を向上できる。Ｘ線源がベッドの長手方向に移動できるので、被検体をベッドの長手方向に移動させないで、被検体に対してＸ線検出及びγ線検出の両検査を実施することができる。
【００２１】
上記の目的を達成する第６発明の他の特徴は、γ線検出装置と、γ線検出装置に着脱自在に取り付けられたＸ線検出装置とを備え、γ線検出装置は、γ線の検出信号を出力するγ線検出部を有し、Ｘ線検出装置は、Ｘ線の検出信号を出力するＸ線検出部、γ線検出部に形成された間隙を通して被検体にＸ線を照射するＸ線源、及びＸ線源をベッドの長手方向に移動させるＸ線源移動装置を有することにある。第６発明は、第５発明の効果を得ると共に、Ｘ線検出装置がγ線検出装置から分離できるので、それを用いて独立にＸ線検出の検査を実施できる。
【００２２】
第７発明の特徴は、撮像装置と、制御装置とを備え、制御装置は、複数の放射線検出器と電源とを接続して複数の放射線検出器に電圧を印加させ、放射線検出器への電圧印加時から設定時間が経過した時点でＸ線源からＸ線を放出し、Ｘ線を放出したＸ線源を、第１Ｘ線源移動装置を用いて前記周方向に移動させる制御を行うことにある。第７発明によれば、複数の放射線検出器に電圧を印加させ、放射線検出器への電圧印加時から設定時間が経過した時点でＸ線源からＸ線を放出するので、後述の第１３発明と同様に、γ線を検出する期間内でＸ線の検出を行うので、γ線を検出する検査及びＸ線を検出する検査を含む放射線検査に要する時間を短縮できる。
【００２３】
上記の目的を達成する第８発明の他の特徴は、被検体より放射されるγ線を検出する放射線検出器が、被検体を透過したＸ線を検出するものであって、放射線検出器から出力されたγ線検出信号及びＸ線検出信号を入力する信号処理手段を備えたことにある。γ線を検出する放射線検出器がＸ線を検出するため、第８発明は、第１発明と同様に被検体に対する診断精度を向上でき、かつ放射線検査装置をコンパクトにすることができる。
【００２４】
上記の目的を達成する第９発明の他の特徴は、放射性薬剤が投与された被検体を透過した前記Ｘ線を検出し、Ｘ線を照射している被検体の位置で、被検体内の放射性薬剤に起因して放出されるγ線を検出することにある。第９発明によれば、Ｘ線を照射している被検体の位置で、γ線を検出するので、ベッドの移動によらないで被検体が検査中に動いた場合でも、γ線検出信号より得られた第１情報、及びＸ線検出信号より得られた第２情報を用いて作成された被検体の断層像の精度を向上することができる。具体的には、上記したように第１断層像情報と、第２断層像情報との合成を精度良く行うことができ、断層像の精度が向上する。断層像の精度向上によって、特に、小器官であるリンパ腺の癌を精度良く診断できる。
【００２５】
上記の目的を達成する第１０発明の他の特徴は、被検体内の放射性薬剤が集積した部位より放出されるγ線を検出し、前記被検体にＸ線を照射して前記部位を透過するＸ線を検出し、前記被検体が載置された前記ベッドが前記部位を透過する前記Ｘ線の検出している位置に存在する状態で、前記部位から放出される前記γ線を検出することにある。第１０発明は、第９発明と同様な効果を生じる。
【００２６】
上記の目的を達成する第１１発明の他の特徴は、γ線検出部によりγ線を検出し、Ｘ線は前記γ線検出部に形成される間隙を通って被検体の放射性薬剤が集積した部位に照射されることにある。第１１発明は、第６発明で生じる効果を得る。
【００２７】
上記の目的を達成する第１２発明の他の特徴は、γ線はベットの長手方向と略平行方向に並んで配置された複数の放射線検出器を含むγ線検出部で検出され、Ｘ線は前記方向における前記γ線検出部の一端とその他端との間で前記被検体に照射されることにある。第１２発明は、第１発明で生じる効果を得ることができる。
【００２８】
第１３発明の他の特徴は、被検体の断層像情報の作成に必要とするγ線の検出信号を得るための放射線検査期間内で、前記被検体を透過したＸ線を検出することにある。第１３発明は、γ線の検出信号を得るための放射線検出期間内でＸ線の検出を行うので、Ｘ線を検出する検査及びγ線を検出する検査を含む放射線検査に要する時間を短縮できる。なお、放射線検査期間は、被検体の断層像の作成に必要なγ線検出信号を得るためにγ線の検出を開始する時点から、そのγ線検出信号の出力を止めるためにγ線の検出を停止する時点までの期間である。
【００２９】
上記の目的を達成する第１４発明の特徴は、ある時点で、被検体から放出されるγ線を検出している複数の前記放射線検出器の一部を用いて被検体を透過したＸ線を検出することにある。この特徴によれば、第１３発明で生じる作用効果を得ることができ、更に、γ線を検出する放射線検出器及びＸ線を検出する放射線検出器を別々に設ける必要がなく、それらの放射線検出器を共用できる。このため、放射線検査装置をコンパクト化できる。また、得られたＸ線の検出とγ線の検出に放射線検出器を共用できるので、得られる両検出信号に基づいて作成される断層像の精度を向上できる。このため、被検体に対する診断精度を向上できる。
【００３０】
上記の目的を達成する第１５発明の特徴は、放射線検査装置に設けられた複数の放射線検出器のうち、一部の前記放射線検出器が被検体を透過したＸ線を検出し、前記一部の放射線検出器が前記Ｘ線を検出しているとき、前記被検体から放出されたγ線を前記一部の放射線検出器以外の前記放射線検出器で検出することにある。第１５発明は、一部の放射線検出器がＸ線を検出しているとき、その一部の放射線検出器以外の放射線検出器がγ線を検出するので、第１３発明で生じる効果を得ることができる。また、第１５発明は、一部の放射線検出器がＸ線を検出しているとき、その一部の放射線検出器以外の放射線検出器がγ線を検出するので、ベッドの移動によらないで被検体が検査中に動いた場合でも、γ線検出信号より得られた第１情報、及びＸ線検出信号より得られた第２情報を用いて作成された被検体の断層像の精度を向上することができる。このため、被検体に対する診断精度を向上できる。
【００３１】
好ましくは、Ｘ線の検出は放射線検査期間の一部の期間で実施する。Ｘ線の検出期間が短いため被検体へのＸ線の照射により被検体に照射される放射線量は許容線量以下となる。
【００３２】
好ましくは、Ｘ線検出信号を得る前記Ｘ線の検出は、γ線検出信号を得る前記γ線の検出を行う放射線検出器を用いて行う。Ｘ線検出信号及びγ線検出信号が各放射線検出器からそれぞれ得られるので、これらの検出信号に基づいて作成される、被検体の断層像の精度が向上する。
【発明の効果】
【００３３】
本発明によれば、被検体に対する診断精度、例えば癌の診断精度を向上できる。
【発明を実施するための最良の形態】
【００３４】
前述の各公開公報に記載された放射線検査装置では、異なる２つの検査は位置がずれた状態で、すなわち被検体を透過したＸ線を検出する検査を行って、その後に被検体の位置をずらして被検体から放出されるγ線を検出する検査を行っている。このような上記の各公開公報に記載された放射線検査では、必然的に両検査を行う場所がずれているため、両検査装置の間で被検診者が動いたり、被検診者の角度が変われば両検査装置で得られた各撮像データの対応関係が正確にとれなくなる、という新たな課題が生じる。この新たな課題は、発明者等が発見したものである。発明者等は、その新たな課題の解決案を種々検討した結果、放射性薬剤が投与された被検体を透過したＸ線を検出し、Ｘ線を照射している被検体の位置で、被検体内の放射性薬剤に起因して放出されるγ線を検出することによって、γ線検出信号により得られた第１情報を用いて作成された画像データとＸ線検出信号により得られた第２情報を用いて作成された画像データを精度よく合成できることを見出した。また、上記の課題は、Ｘ線検出部は、ベッドの長手方向においてγ線検出部の一端とγ線検出部の他端との間に形成される領域に位置していることによっても解決できることを見出した。以下に、具体的な実施例を説明する。
【００３５】
（実施例１）
本発明の好適な一実施例である放射線検査装置を、図１及び図２に基づいて説明する。本実施例の放射線検査装置１は、撮像装置２，被検診者保持装置１４，信号弁別装置１９，同時計数装置２６，コンピュータ（例えば、ワークステーション）２７，記憶装置２８，表示装置２９及び統括制御装置４７を備えている。被検診者保持装置１４は、支持部材１５、および支持部材１５の上端部に位置して長手方向に移動可能に支持部材１５に設置されたベッド１６を有する。撮像装置２は、ベッド１６の長手方向に対して直角の方向に設置されており、放射線検出器環状体３及びＸ線源周方向移動装置７を有する。放射線検出器環状体３は、環状保持部５、及び環状保持部５の内側に環状に設置された多数の放射線検出器４を含む。放射線検出器環状体３の放射線検出器４の内側に、ベッド１６が挿入される貫通した孔部３０が形成される。多数の放射線検出器４(合計約１００００個）は、環状保持部５に周方向のみならず孔部３０の軸方向にも複数列設置されている。放射線検出器環状体３に含まれる多数の放射線検出器４は筒状の放射線検出部６５を構成する。本実施例では、周方向に環状に配置された全ての放射線検出器４は、その周方向に移動しなく、かつ孔部３０の軸方向にも移動しない。放射線検出器４は、半導体放射線検出器であり、検出部である５mm立方体の半導体素子部をカドミウムテルル(ＣｄＴｅ)で構成している。その検出部はガリウムヒ素（ＧａＡｓ）またはカドミウムテルル亜鉛（ＣＺＴ）で構成してもよい。環状保持部５は、支持部材６上に設置される。支持部材６及び１５は、互いに連結されており、かつ検査室の床に据付けられている。
【００３６】
Ｘ線源周方向移動装置７は、Ｘ線源装置８、及び環状のＸ線源装置保持部１３を備える。Ｘ線源装置保持部１３は、環状保持部５の一端部で環状保持部５の外面に取付けられる。環状のガイドレール１２が、Ｘ線源装置保持部１３の一端面に設置される。ガイドレール１２及びＸ線源装置保持部１３は孔部３０の周囲を取囲む。Ｘ線源装置８は、Ｘ線源９，Ｘ線源駆動装置１０及び軸方向移動アーム１１を有する。Ｘ線源駆動装置１０は、ケーシング内に、モーター１７、及び減速機構を有する動力伝達機構（図示せず）を備える。動力伝達機構はモーター１７の回転軸に連結される。軸方向移動アーム１１はＸ線源駆動装置１０のケーシングに取付けられて孔部３０内に延びている。Ｘ線源９は軸方向移動アーム１１に取付けられる。軸方向移動アーム１１は、孔部３０の軸方向に伸縮し、Ｘ線源９を孔部３０の軸方向に移動させる。軸方向移動アーム１１は、Ｘ線源駆動装置１０に設置されたモーター１８の駆動により伸縮される。Ｘ線源駆動装置１０は、落下しないようにかつガイドレール１２に沿って移動可能にガイドレール１２に取付けられる。Ｘ線源駆動装置１０は、図示していないが、前述の動力伝達機構から回転力を受けるピニオンを有する。このピニオンはガイドレール１２に設けられたラックと噛合う。
【００３７】
Ｘ線源９は、図３（Ａ）に示すように、公知のＸ線管４２，放射線遮へい体４３及びシャッター４４を有する。Ｘ線管４２は開口部４６を有する放射線遮へい体４３内に設置される。放射線遮蔽材で構成されたシャッター４４は軸４５によって放射線遮へい体４３に回転可能に取付けられる。Ｘ線管４２は、図示されていないが、陽極，陰極，陰極の電流源、及び陽極と陰極との間に電圧を印加する電圧源を外筒内に備える。高圧電源５６が開閉器５７を介して電流源及び電圧源に接続される。電流源から陰極に電流を流すことによってフィラメントから電子が放出される。この電子は、電圧源から陰極と陽極との間に印加される電圧（数百ｋＶ）によって加速され、ターゲットである陽極（Ｗ，Ｍｏ等）に衝突する。電子の陽極への衝突により３０ｋｅＶ〜８０ｋｅＶ程度のＸ線が発生する。このＸ線６７がシャッター４４が開いているときに開口部４６より放出される。
【００３８】
各放射線検出器４は、それぞれ配線２３によって対応する信号弁別装置１９に接続される。信号弁別装置１９は個々の放射線検出器４毎に１個設けられる。信号弁別装置１９の詳細な構成を図４に示す。信号弁別装置１９は、切替スイッチ３１，波形整形装置２０，γ線弁別装置２１、及びＸ線強度を求めるＸ線検出信号処理装置２２を備える。切替装置である切替スイッチ３１は、可動端子３２、及び固定端子３３及び３４を有する。配線
２３は可動端子３２に接続される。波形整形装置２０は固定端子３３及びγ線弁別装置
２１に接続される。Ｘ線検出信号処理装置２２は固定端子３４に接続される。電源２５のプラス側端子は、抵抗を介して、放射線検査装置１に設けられる各放射線検出器４に接続された配線２３に接続される。電源２５のマイナス側端子は、電源用開閉器２４を介してそれぞれの放射線検出器４に接続される。γ線弁別装置２１は同時計数装置２６を介してコンピュータ２７に接続される。同時計数装置２６は１個でありγ線弁別装置２１に接続される。同時計数装置２６は、幾つかのγ線弁別装置２１毎に設けてもよい。各Ｘ線検出信号処理装置２２はコンピュータ２７に接続される。記憶装置２８及び表示装置２９がコンピュータ２７に接続される。信号弁別装置１９は信号処理装置である。この信号処理装置は、Ｘ線検出信号処理装置２２を含む第１の信号処理装置、及び波形整形装置２０及びγ線弁別装置２１を有する第２信号処理装置を備える。
【００３９】
統括制御装置４７は、図５に示すように、統括制御部４８，検出器電源制御部４９，Ｘ線源移動制御部５０，Ｘ線放出制御部５１，切替スイッチ制御部５２及びベッド移動制御部５３を有する。ボタンスイッチ５４及び入力装置５５が統括制御装置４７に接続される。
【００４０】
本実施例は、Ｘ線ＣＴ検査（Ｘ線源９から放射されて被検診者の体内を透過したＸ線
６７を放射線検出器で検出する行為）及びＰＥＴ検査（ＰＥＴ用薬剤に起因して被検診者３５の体内に存在する患部６６から放射されるγ線６８を放射線検出器で検出する行為）を一台の撮像装置２を用いて行う例である。
【００４１】
本実施例における検査を具体的に説明する前に、本実施例の放射線検出の原理について説明する。本実施例は、発明者らによる以下の検討に基づいてなされた。Ｘ線ＣＴ像（Ｘ線ＣＴによって得られた、被検体の、内臓及び骨の画像を含む断層像）のデータは、Ｘ線源から放射されたＸ線を特定の方向に所定時間の間、被検体に照射し、体内を透過したＸ線を放射線検出器により検出する作業（スキャン）を繰り返し、複数の放射線検出器で検出されたＸ線の強度に基づいて作成される。精度の良いＸ線ＣＴ像のデータを得るためには、Ｘ線ＣＴ検査において、Ｘ線を検出している放射線検出器に、ＰＥＴ用の放射性薬剤に起因して被検体の内部から放出されるγ線が入射しないことが望ましい。このためには、「１つの放射線検出器においては、γ線の入射率に対応して被検体へのＸ線の照射時間を短くすればγ線の影響は無視可能である」との発明者らの新しい知見に基づいて、被検体へのＸ線の照射時間の短縮を図った。そのＸ線の照射時間Ｔを決めるために、まず、１つの放射線検出器へのγ線の入射率を考える。ＰＥＴ検査において被検体に投与するPET用の放射性薬剤に基づいた体内の放射能をＮ（Ｂｑ），発生するγ線の体内通過率をＡ，１つの放射線検出器の立体角から求めた入射率をＢ，検出素子の感度をＣとすると、１つの放射線検出器で検出するγ線の率α（個／sec ）は（１）式で与えられる。（１）式において係数の「２」は、１個の陽電子消滅の際に一対(２個)のγ線が放出されることを意味している。照射時間Ｔ内に１つの検出素子でγ線が検出される確率Ｗは（２）式で与え
α＝２ＮＡＢＣ                                                  …（１）
られる。（２）式のＷの値を小さくするように照射時間Ｔを決めることによって、Ｘ線
ＣＴ検査時に、１つの放射線検出器に入射されるγ線の影響は無視できる程度になる。
【００４２】
Ｗ＝１−exp(−Ｔα)                                             …（２）
Ｘ線の照射時間Ｔの一例を以下に述べる。（１）および（２）式に基づいて具体的なＸ線の照射時間Ｔを求めた。ＰＥＴ検査において被検体に投与する放射性薬剤に起因する体内での放射線の強度は、最大で３７０ＭＢｑ程度であり（Ｎ＝３７０ＭＢｑ）、γ線の体内通過率Ａは被検体の体を半径１５cmの水と仮定すれば０.６程度（Ａ＝０.６）である。例えば一辺５mmの放射線検出器を半径５０cmでリング状に配置する場合を考えると、１つの放射線検出器の立体角から求めた入射率Ｂは８×１０-6（Ｂ＝８×１０-6）である。また、放射線検出器の検出感度Ｃは半導体放射線検出器を使用した場合最大で０.６程度
（Ｃ＝０.６）である。これらの値から１つの放射線検出器のγ線の検出率αは２０００
(個／sec）程度である。Ｘ線の照射時間Ｔを例えば１.５μsecとすれば、１つの放射線検出器がＸ線検出中にγ線を検出する確率Ｗは０.００３ となり、このγ線はほとんど無視できる。体内投与放射能を３６０ＭＢｑ以下とした場合、Ｘ線の照射時間を１.５μsec以下にすれば、Ｗ＜０.００３つまりγ線の検出確率は０.３％以下となり無視できる。
【００４３】
放射線検査を行う前に、まず、予め注射などの方法によりＰＥＴ用薬剤が、体内投与放射能が３７０ＭＢｑになるように、被検体である被検診者３５に投与される。ＰＥＴ用薬剤は、検査目的（癌の場所を把握、または心臓の動脈流の検査等）に応じて選ばれる。被検診者３５に投与されたＰＥＴ用薬剤は、被検診者３５の患部（例えば癌の患部）６６に集まる。ＰＥＴ用薬剤を投与した被検診者３５を被検診者保持装置１４のベッド１６上に寝かせる。
【００４４】
放射線検査装置のオペレータ（例えば、放射線技師）は、その放射線検査開始前に、入力装置５５より、被検診者３５に対して検査を行う検査対象範囲及びＸ線ＣＴ検査の回数を入力する。これらの情報は統括制御装置４７の制御装置用記憶装置（図示せず）に記憶されると共に、統括制御部４８に入力される。検査対象範囲の孔部３０の軸方向における長さは、例えば放射線検出器環状体３の軸方向長さよりも短い。統括制御部４８は、それらの情報に基づいてＰＥＴ検査に要する時間を算出すると共に、γ線検出期間であるＰＥＴ検査期間，ＰＥＴ検査期間内におけるＸ線検出開始時間（Ｘ線ＣＴ検査開始時間）、及びＸ線検出期間であるＸ線ＣＴ検査期間を設定する。この処理により、Ｘ線ＣＴ検査開始時点を含む、図６に示す一例の制御スケジュールが作成される。作成された制御スケジュールの情報は制御装置用記憶装置に記憶される。表示装置（図示せず）にその制御スケジュールが表示されるため、オペレータはそれを見ることができる。その制御スケジュールは、ＰＥＴ検査期間中において４回のＸ線ＣＴ検査を行うものである。
【００４５】
放射線検査開始に際して、オペレータはボタンスイッチ５４を押して、統括制御部４８に検査開始信号を入力する。統括制御部４８は、検査開始信号を入力したとき、ベッド移動開始信号及び、制御装置用記憶装置に記憶された、被検診者３５に対する検査対象範囲の情報をベッド移動制御部５３に出力する。ベッド移動制御部５３は、ベッド移動開始信号及び検査対象範囲情報に基づいて、支持部材５５に設けられてベッド１６を移動させるベッド移動用モーター（図示せず）を回転させ、被検診者３５の検査対象範囲が孔部３０内に入るように、ベッド１６を移動させる。
【００４６】
この状態で、本実施例を用いたＸ線ＣＴ検査及びＰＥＴ検査が実施される。これらの検査は、撮像装置２を用いて行われる。これらの検査の具体的な内容を以下に説明する。
【００４７】
統括制御装置４７は、放射線検出器４の電源制御，Ｘ線源移動制御，ベッド移動制御，切替スイッチ３１の切替制御、及びＸ線源９からのＸ線放出制御を行う。統括制御装置
４７の機能を順次以下に説明する。まず、統括制御部４８は、検査開始信号を入力したとき、検出器電源制御部４９に対して電源ＯＮ信号を出力する。検出器電源制御部４９は、電源ＯＮ信号を入力すると、電源用開閉器２４を閉じる。電源２５の電圧が各放射線検出器４に印加され、各放射線検出器４はγ線及びＸ線を検出できる状態になる。被検診者
３５の患部６６に集積したＰＥＴ用薬剤に起因して体内より放出された５１１ｋｅＶの一対のγ線６８は、電源用開閉器２４を閉じることによって、放射線検出部６５の各放射線検出器４によって検出される。すなわち、電源用開閉器２４を閉じることによってγ線検出期間（図６参照）が開始される。γ線検出期間は放射線検出期間である。患部６６からは、多数のγ線対が四方八方に放出される。統括制御部４８は、制御スケジュールにおける第１回のＸ線ＣＴ検査に対するＸ線ＣＴ検査開始時間よりも所定時間前に、Ｘ線放出制御部５１に対してＸ線管起動信号を出力する。Ｘ線放出制御部５１は、その信号を受けて第１開閉器閉信号を出力し、開閉器５７を閉じる。高圧電源５６からＸ線管４２の電圧源に電圧が印加され、電流源に電流が流れる。やがて、前述のようにしてＸ線管４２でＸ線が発生する。この時点では、シャッター４４が閉じており、そのＸ線はＸ線源９の外部に放出されない。
【００４８】
孔部３０内に挿入されてベッド１６上にいる被検診者３５から、上記のように放出されたγ線６８は、放射線検出部６５の各放射線検出器４で検出される。γ線６８を検出した各放射線検出器４は検出信号であるγ線検出信号を出力する。このγ線検出信号は、該当する配線２３を経て対応するそれぞれの信号弁別装置１９に入力され、後述するように処理される。Ｘ線源９は、放射線検出器４によるγ線６８の検出を妨げないように、軸方向移動アーム１１を縮めてＸ線源駆動装置１０内に収納されている。
【００４９】
Ｘ線ＣＴ検査開始信号を出力する前に、統括制御部４８はＸ線源移動制御部５０に第１Ｘ線源移動信号を出力する。この信号を受けたＸ線源移動制御部５０は第２開閉器閉信号を出力する。これによって、モーター１８に接続されて電源にもつながっている第２開閉器（図示せず）が閉じられ、モーター１８の駆動によりＸ線源９が孔部３０の軸方向に移動する。Ｘ線源９が検査対象範囲内の所定の位置まで移動したとき、Ｘ線源移動制御部
５０は第２開閉器開信号を出力して第２開閉器を開くので、孔部３０の軸方向におけるＸ線源９の移動は停止する。その後、統括制御部４８は、Ｘ線ＣＴ検査開始信号をＸ線源移動制御部５０，Ｘ線放出制御部５１及び切替スイッチ制御部５２に出力する。Ｘ線放出制御部５１は、シャッター開信号を出力してシャッター用モーター（図示せず）と電源とを接続する第２開閉器（図示せず）を閉じる。シャッター用モーターが駆動してシャッター４４が開く（図３（Ｂ）参照）。Ｘ線管４２で発生したＸ線６７は、開口部４６を通して放出され、ファンビーム状に、ベッド１６上の被検診者３５に照射される。Ｘ線源移動制御部５０は、Ｘ線ＣＴ検査開始信号を入力したときＸ線源回転開始信号を出力し、モーター１７と電源とを接続する第１開閉器（図示せず）を閉じる。モーター１７の回転によってピニオンが回転する。従って、Ｘ線源装置８がガイドレール１２に沿って移動し、Ｘ線源９が被検診者３５の周囲を設定速度で移動する。このようにして、Ｘ線ＣＴ検査が開始される。
【００５０】
Ｘ線放出制御部５１は、Ｘ線源９からのＸ線６７の放出時間を制御する。すなわち、Ｘ線放出制御部５１は、Ｘ線ＣＴ検査中において、第１設定時間及び第２設定時間の間隔で、シャッター開信号及びシャッター閉信号を交互に出力してシャッターの開閉を制御し、Ｘ線源９からのＸ線６７の放出，停止を制御する。この制御により、シャッター４４は、第１設定時間の間で開き、第２設定時間の間で閉じる。結果的に、Ｘ線源９からＸ線がパルス状に放出される。第１設定時間である照射時間Ｔは、放射線検出器４でのγ線６８の検出確率を無視できるように例えば１μsec に設定される。第２設定時間は、Ｘ線源９が１つの放射線検出器４とこれに周方向において隣接する他の放射線検出器４の間を移動する時間Ｔ０であり、ガイドレール１２の周方向におけるＸ線源９の移動速度で定まる。
第１及び第２設定時間は制御装置用記憶装置に記憶されている。
【００５１】
被検診者３５に照射されて被検診者３５を透過したＸ線６７は、孔部３０の軸心を基点にＸ線源９から１８０度の位置にある放射線検出器４を中心に周方向に位置する複数個の放射線検出器４によって検出される。これらの放射線検出器４は、そのＸ線６７の検出信号であるＸ線検出信号を出力する。このＸ線検出信号は、該当する配線２３を経て対応するそれぞれの信号弁別装置１９に入力される。放射線検出部６５において、上記のＸ線を検出しているそれらの放射線検出器４は、便宜的に第１放射線検出器４と称する。また、放射線検出部６５において、γ線を検出している放射線検出器４を便宜的に第２放射線検出器４という。Ｘ線ＣＴ検査の期間中、Ｘ線源９は、Ｘ線源移動制御部５０による制御によって軸方向移動アーム１１が伸ばされるため、検査対象範囲で孔部３０の軸方向に移動される。Ｘ線源９から放出されたＸ線６７が被検診者３５の患部６６を透過しているときには、第１放射線検出器４はその患部を透過したＸ線６７を検出する。
【００５２】
次に、切替スイッチ３１の切替制御について説明する。信号弁別装置１９内で、第２放射線検出器４から出力されたγ線検出信号はγ線弁別装置２１に伝えられ、第１放射線検出器４から出力されたＸ線検出信号はＸ線検出信号処理装置２２に伝えられる。このような各検出信号の伝送は、信号弁別装置１９の切替スイッチ３１の切替制御によって切り替えられる。切替スイッチ３１の可動端子３２を固定端子３３または固定端子３４に接続する切替制御は、Ｘ線ＣＴ検査開始信号入力後で、切替スイッチ制御部５２から出力される第１切替信号及び第２切替信号に基づいて行われる。第１切替信号によって可動端子３２は固定端子３３に接続され、第２切替信号によって可動端子３２は固定端子３４に接続される。Ｘ線ＣＴ検査開始信号を入力した切替スイッチ制御部５２は、第１放射線検出器４を選択して、選択した第１放射線検出器４が接続される切替スイッチ３１に第２切替信号を出力し、可動端子３２を固定端子３４に接続する。
【００５３】
第１放射線検出器４の選択は切替スイッチ制御部５２において以下のように行われる。切替スイッチ制御部５２は、モーター１７に連結されたエンコーダー５８（図５参照）の検出信号を入力して周方向におけるＸ線源駆動装置１０、すなわちＸ線源９の位置を求め、このＸ線源９の位置と１８０°反対側に位置する放射線検出器４を、記憶している各放射線検出器４の位置のデータを用いて選択する。Ｘ線源９から放射されるＸ線６７はガイドレール１２の周方向である幅を有しているため、被検診者３５の体内を透過したＸ線を検出する放射線検出器４は、選択されたその放射線検出器４以外にも周方向に複数個存在することになる。切替スイッチ制御部５２は、その複数の放射線検出器４も選択する。これらの放射線検出器４が、第１放射線検出器である。周方向におけるＸ線源９の移動に伴って、第１放射線検出器４も違ってくる。Ｘ線源９の周方向への移動に伴って、第１放射線検出器４も擬似的に周方向に移動しているように見える。切替スイッチ制御部５２は、Ｘ線源９の周方向への移動に際し、エンコーダー５８の検出信号に基づいて別の放射線検出器４を選択したときには、その新たな第１放射線検出器４に接続される切替スイッチ
３１に第２切替信号を出力し、可動端子３２を固定端子３４に接続する。また、切替スイッチ制御部５２は、Ｘ線源９の周方向への移動に伴って第１放射線検出器４でなくなった放射線検出器４に接続された切替スイッチ３１に第１切替信号を出力し、可動端子３２を固定端子３３に接続する。以上の切替スイッチの切替制御は、Ｘ線ＣＴ検査期間内で順次行われる。
【００５４】
図６に示す一回目のＸ線検査を終了する時間になったとき、統括制御部４８は、Ｘ線
ＣＴ検査終了信号をＸ線源移動制御部５０、Ｘ線放出制御部５１及び切替スイッチ制御部５２にそれぞれ出力する。Ｘ線ＣＴ検査終了信号を入力した上記３つの制御部の機能について説明する。Ｘ線源移動制御部５０は、まず、Ｘ線源回転停止信号を出力し、第１開閉器を開いてモーター１７の回転を止め、Ｘ線源９の旋回を停止させる。Ｘ線源移動制御部５０は、第２開閉器閉信号を出力して第２開閉器を閉じ、モーター１８を逆転させて軸方向伸縮アーム１１を縮めてＸ線源９をＸ線源駆動装置１０内に収納する。Ｘ線放出制御部５１は、シャッター閉信号を出力してシャッター４４を閉じる。シャッター４４が閉じられることによってＸ線６７の被検診者３５への照射は停止される。シャッター４４を閉じる操作は、Ｘ線ＣＴ検査終了信号の入力後、直ちに行われる。Ｘ線放出制御部５１は、更に、第１開閉器開信号を出力して開閉器５７を開き、高圧電源５６からＸ線管４２への電圧の印加を停止する。切替スイッチ制御部５２は、可動端子３２が固定端子３４に接続されている全切替スイッチ３１に対してそれぞれ第１切替信号を出力してそれらの切替スイッチ３１の可動端子３４を固定端子３３に接続する。
【００５５】
一回目のＸ線ＣＴ検査終了後の設定時間経過後に、二回目のＸ線ＣＴ検査を実行するために、統括制御装置４７の各制御部は前述と同様な制御を行う。三回目及び四回目のＸ線ＣＴ検査に対しても、統括制御装置４７は同様な制御を実行する。四回のＸ線ＣＴ検査が終了し、残りのＰＥＴ検査も終了したとき、統括制御部４８は、放射線検査を終了させるため、電源ＯＦＦ信号を検出器電源制御部４９に出力する。その信号を受けた検出器電源制御部４９は、電源用開閉器２４を開く。これにより、各放射線検出器４への電圧の印加が停止される。以上の制御によって放射線検査が終了する。
【００５６】
前述の制御スケジュールの情報は、検査開始信号入力後における、ベッド移動開始信号，電源ＯＮ信号，Ｘ線管起動信号，第１Ｘ線源移動信号，Ｘ線ＣＴ検査開始信号，Ｘ線
ＣＴ検査終了信号及び電源ＯＦＦ信号の各信号を出力する各時間情報を含んでいる。なお、Ｘ線管起動信号，第１Ｘ線源移動信号，Ｘ線ＣＴ検査開始信号及びＸ線ＣＴ検査終了信号の各信号を出力する各時間情報は、放射線検査期間内に実施するＸ線ＣＴ検査の回数分含まれている。統括制御部４８は、制御スケジュール情報に含まれる時間情報で指定された各時間に、該当する制御信号を統括制御装置４７内の該当する制御部に出力する。
【００５７】
放射線検査期間において、Ｘ線ＣＴ検査を実施していない場合はもとより、Ｘ線ＣＴ検査を実施している場合でも第２放射線検出器４によって被検診者３５の患部６６から放出されたγ線６８を検出できる。このため、本実施例は、Ｘ線ＣＴ検査中であっても、PET検査を並行して実施できる。換言すれば、ＰＥＴ検査期間中においてＸ線ＣＴ検査を実施できる。
【００５８】
放射線検出部６５の個々の放射線検出器４は、Ｘ線源９の位置との関係であるときは第１放射線検出器４となり、別のあるときには第２放射線検出器４となる。このため、個々の放射線検出器４は、別々ではあるがＸ線検出信号及びγ線検出信号の両方を出力する。第１放射線検出器４は、第１設定時間である１μsec の間に被検診者３５を透過したＸ線６７を検出する。１μsec の間に第１放射線検出器４が被検診者３５の患部６６から放出されるγ線６８を検出する確率は、前述したように、無視できるほど小さい。ＰＥＴ薬剤に起因して被検診者３５の患部６６で発生した多数のγ線６８は、特定の方向に放出されるのではなく、あらゆる方向に放出される。これらのγ線６８は、前述したように、対となってほぼ正反対の方向に放出され、放射線検出部６５のいずれかの第２放射線検出器４によって検出される。
【００５９】
放射線検出器４から出力されたＸ線検出信号及びγ線検出信号を入力したときの信号弁別装置１９の信号処理について説明する。第１放射線検出器４から出力されたＸ線検出信号は、前述したように、切替スイッチ３１の固定端子３４を経てＸ線検出信号処理装置
２２に入力される。Ｘ線検出信号処理装置２２は、Ｘ線検出信号を積分装置によって設定周期で積算し、Ｘ線検出信号の設定周期ごとの積算値、すなわちＸ線強度の情報を出力する。Ｘ線検出信号処理装置２２はＸ線強度情報と共に、Ｘ線検出信号処理装置２２に接続される放射線検出器４の位置であるＸ線検出位置情報も出力する。
【００６０】
第２放射線検出器４から出力されたγ線検出信号は、切替スイッチ３１の固定端子３３を経て波形整形装置２０に入力される。波形整形装置２０に入力されるγ線検出信号は、図７に示すように、最初に急激に立下り、その後、指数関数的に０に近づくような形になっている。波形整形装置２０は、γ線弁別装置２１でのγ線検出信号の処理を円滑に行わせるために、図７に示す波形のγ線検出信号を、例えば図８に示す時間的なガウス分布の波形を有するγ線検出信号に変換して出力する。ところで、放射線検出器４の半導体素子部内で５１１ｋｅＶのγ線のエネルギー全てが電荷に変わるとは限らない。このため、γ線弁別装置２１は、例えばエネルギーが５１１ｋｅＶよりも低い４５０ｋｅＶを第１エネルギー設定値として、このエネルギー設定値以上のエネルギーを有するγ線検出信号を入力したときに所定のエネルギーを有するパルス信号を発生させる。すなわち、γ線弁別装置２１は、第１エネルギー設定値以上のエネルギーを有するγ線検出信号が入力されたときに上記のエネルギーを有するパルス信号を発生させる装置である。γ線弁別装置２１は、γ線検出信号処理装置であり、出力するパルス信号に、時刻情報、及びγ線弁別装置
２１に接続される放射線検出器４の位置を示す位置情報を付与する。時刻情報は、γ線検出信号がγ線弁別装置２１に入力されたときの時刻、及びパルス信号がγ線弁別装置２１から出力されるときの時刻のいずれかの情報である。
【００６１】
上記のように、γ線弁別装置２１において第１エネルギー設定値以上のγ線検出信号を処理するためには、第１エネルギー設定値以上のγ線検出信号を通過させる第１フィルターをγ線弁別装置２１内（またはγ線弁別装置２１の前段）に設ける。γ線弁別装置２１は第１フィルターを通過したγ線検出信号に対してパルス信号を発生する。
【００６２】
同時計数装置２６は、各信号弁別装置１９のγ線弁別装置２１から出力されたパルス信号を入力する。同時計数装置２６は、γ線対のそれぞれのγ線６８を検出した２つの第２放射線検出器（孔部３０の軸心を中心にしてほぼ１８０°(厳密には１８０°±０.６°)方向が異なった位置に存在する一対の第２放射線検出器）から出力されたそれぞれのγ線検出信号に対する各パルス信号を用いて同時計数を行い、それらのγ線検出信号に対する計数値（γ線計数情報）を求める。同時計数装置２６は、各パルス信号がそのγ線対のそれぞれのγ線の検出信号に対応したものであるかは、それらのパルス信号に付与された各時刻情報に基づいて判断する。すなわち、２つの時刻情報の差が設定時間（例えば、１０ｎsec ）以内であれば、１つの陽子の消滅によって発生した一対のγ線６８に対するパルス信号であると判断する。更に、同時計数装置２６は、それらのパルス信号に付与された各位置情報を、該当する一対の第２放射線検出器４の各位置、すなわち各γ線検出点の位置情報としてデータ化する。
【００６３】
各γ線判別装置２１及び同時計数装置２６は、断層像の再構成に用いられる、γ線計数情報及びγ線対に対する各γ線検出点の位置情報等の第１情報を生成する第１信号処理装置を構成する。Ｘ線検出信号処理装置２２は、断層像の再構成に用いられる、Ｘ線強度情報及びＸ線検出位置情報等の第２情報を生成する第２信号処理装置である。上記のγ線検出点の位置情報は、具体的には、γ線を検出した放射線検出器４の位置情報である。Ｘ線検出位置情報は、具体的には、Ｘ線を検出した放射線検出器４の位置情報である。同時計数装置２６は、γ線検出信号処理装置であるそれぞれのγ線弁別装置２１からの出力信号を入力し、第１断層像情報（具体的にはＰＥＴ像データ）の作成に必要とする第１情報を出力する。
【００６４】
コンピュータ２７は、図９に示すステップ３６〜４１の処理手順に基づいて処理を実行する。このような処理を実行するコンピュータ２７は、第１情報（具体的にはγ線計数情報及びγ線検出点の位置情報）を用いて第１断層像情報を作成し、及び第２情報（具体的にはＸ線強度情報及びＸ線検出位置情報）を用いて第２断層像情報（具体的にはＸ線ＣＴ像データ）を作成し、第１断層像情報及び第２断層像情報を用いてそれらの断層像情報を含む第３断層像情報（具体的には合成断層像データ）を作成する断層像データ作成装置である。同時計数装置２６によって計数されたγ線検出信号の計数値情報，同時計数装置
２６から出力されたγ線検出点の位置情報，Ｘ線検出信号処理装置２２から出力されたＸ線強度情報、及びＸ線強度に付与されたＸ線検出位置情報が入力される（ステップ３６）。入力された、γ線検出信号の計数値情報，γ線検出点の位置情報，Ｘ線強度情報、及びＸ線検出位置情報は、記憶装置２８に記憶される（ステップ３７）。
【００６５】
Ｘ線強度情報及びＸ線検出位置情報を用いて、被検診者３５の横断面（以下、横断面とは被検診者が立った状態での横断面をいう）の断層像を再構成する（ステップ３８）。再構成した断層像をＸ線ＣＴ像と称する。この断層像の再構成の具体的な処理を説明する。まず、Ｘ線強度情報を用いて、被検診者３５の体内の各ボクセルにおけるＸ線の減衰率を算出する。本実施例では、各ボクセルにおけるＸ線の減衰率は、四回のＸ線ＣＴ検査で検出された各Ｘ線検出信号により得られた各Ｘ線強度情報を用いて算出される。この減衰率は記憶装置２８に記憶される。Ｘ線ＣＴ像を再構成するために、記憶装置２８から読み出されたＸ線検出信号の減衰率を用いて、Ｘ線源９の位置とＸ線を検出した放射線検出器４の位置（Ｘ線検出位置情報より得る）との間における被検診者３５の体内での線減弱係数を求める。エンコーダー５８により検出された、移動時におけるＸ線源９の位置は、各Ｘ線検出信号処理装置２２によりＸ線強度情報に付与されてコンピュータ２７に伝えられる。各ボクセルにおけるＣＴ値は、その線減弱係数を用いてフィルタードバックプロジェクション法により得られる、各ボクセルでの線減弱係数の値に基づいて、算出される。Ｘ線ＣＴ像のデータは、それらのＣＴ値を用いて得られ、記憶装置２８に記憶される。ステップ３８においては、ＰＥＴ薬剤が集積している患部を通る横断面でのＸ線ＣＴ像も再構成される。
【００６６】
患部（例えば癌の患部）を含む、被検診者３５の横断面の断層像を、該当する位置でのγ線検出信号の計数値を用いて再構成する（ステップ３９）。γ線検出信号の計数値を用いて再構成した断層像をＰＥＴ像と称する。この処理を詳細に説明する。記憶装置２８から読み出されたγ線検出信号の計数値を用いて、陽電子の消滅によって発生したγ線を検出した一対の第２放射線検出器４（γ線検出点の位置情報より特定）の各半導体素子部間における体内でのγ線対発生数（複数の陽電子の消滅に応じて発生したγ線対の数）を求める。このγ線対発生数を用いて、フィルタードバックプロジェクション法により各ボクセルにおけるγ線対発生密度を求める。これらのγ線対発生密度に基づいてＰＥＴ像のデータを得ることができる。このＰＥＴ像のデータは、記憶装置２８に記憶される。
【００６７】
ＰＥＴ像のデータとＸ線ＣＴ像のデータとを合成して、両データを含む合成断層像のデータを求め、記憶装置２８に記憶させる（ステップ４０）。患部の位置におけるＰＥＴ像データとその位置のＸ線ＣＴ像データを合成して、患部の位置での被検診者３５の横断面の合成断層像データを求める。ＰＥＴ像のデータとＸ線ＣＴ像のデータとの合成は、両方の像データにおける、孔部３０の中心軸の位置を合わせることによって、簡単にかつ精度良く行うことができる。すなわち、ＰＥＴ像のデータ及びＸ線ＣＴ像のデータは、共有する放射線検出器４から出力された検出信号に基づいて作成されるので、前述のように位置合わせを精度良く行える。合成断層像のデータは、記憶装置２８から呼び出されて表示装置２９に出力され(ステップ４１)、表示装置２９に表示される。表示装置２９に表示された合成断層像はＸ線ＣＴ像を含んでいるので、ＰＥＴ像における患部の、被検診者３５の体内での位置を容易に確認することができる。すなわち、Ｘ線ＣＴ像は内臓及び骨の像を含んでいるので、医者は、患部（例えば、癌の患部）が存在する位置を、その内臓及び骨との関係で特定することができる。
【００６８】
なお、Ｘ線ＣＴ像は複数のスキャンデータが必要なため、Ｘ線源駆動装置１０を用いてＸ線源９をガイドレール１２に沿って移動させることによって、放射線検出器４により必要なデータ量を得ることができる。このようなＸ線源９の周方向スキャンによって、本実施例は被検診者３５の１つの横断面におけるＸ線検出信号に関する二次元断面データを得ている。他の横断面におけるＸ線検出信号に関する二次元断面データは、軸方向移動アーム１１を伸縮させてＸ線源９を孔部３０の軸方向に移動させることによって得ることができる。これらの二次元断面データを積み重ねることによって、三次元の断面データを得ることができる。この三次元の断面データを用いて三次元のＸ線ＣＴ像のデータを得ることができる。また、Ｘ線源９の周回に伴い孔部３０の軸方向に軸方向移動アーム１１を連続的に伸縮することにより、Ｘ線のヘリカルスキャンを行うことも可能である。軸方向移動アーム１１を伸縮させる替りに、ベッド１６を孔部３０の軸方向に移動させても他の横断面におけるＸ線検出信号に関する２次元断面データを得ることができる。
【００６９】
本実施例では、放射線検出部６５がＸ線検出信号及びγ線検出信号の両方を出力する複数の放射線検出器４で構成されているため、放射線検出部６５はγ線検出部でありＸ線検出部でもある。本実施例は、Ｘ線検出部が、ベッド１６の長手方向においてγ線検出部の一端とγ線検出部の他端との間に形成される領域内に位置している。また、上記放射線検出部６５は、Ｘ線源９から照射されて被検診者３５を透過するＸ線６７を検出し、このＸ線６７の検出信号を出力するＸ線検出部であり、かつＸ線６７を照射している被検診者
３５の位置において被検診者３５内のＸ線６７が透過する部位（患部６６）からＰＥＴ薬剤に起因して放出されるγ線６８を検出し、このγ線６８の検出信号を出力するγ線検出部である。γ線検出部及びＸ線検出部を有する放射線撮像装置２は、放射線検出装置である。
【００７０】
本実施例によれば、以下に示す効果を得ることができる。
【００７１】
（１）本実施例では、被検体である被検診者３５から放出されるγ線を検出する放射線検査期間内の一部の期間で、γ線の検出と並行して被検診者３５を透過したＸ線の検出を実施するので、ＰＥＴ検査を実施しながらＸ線ＣＴ検査を行うことができる。このため、ＰＥＴ検査及びＸ線ＣＴ検査を行う放射線検査に要するトータルの検査時間を短縮できる。特に、特開平７−２０２４５号公報のようにＸ線ＣＴ検査とＰＥＴ検査を連続的に行う場合でＸ線ＣＴ検査を複数回行う場合には、最初のＸ線ＣＴ検査及び最初のＰＥＴ検査を終了した後に以下のような操作が行われる。すなわち、最初のＰＥＴ検査終了時にＰＥＴ検査装置の放射線検出器（放射線検出器Ａという）への電圧印加を停止し、ベッドを移動して被検診者３５の検査対象範囲をＸ線ＣＴ検査装置の位置まで移動する。その後、Ｘ線ＣＴ装置の放射線検出器（放射線検出器Ｂという）に電圧を印加してＸ線ＸＴ検査を実施する。このＸ線ＣＴ検査終了時に放射線検出器Ｂへの電圧印加を停止し、ベッドを移動して被検診者３５の検査対象範囲をＸ線ＣＴ検査装置の位置まで移動する。その後、再度、放射線検出器Ａに電圧を印加してＰＥＴ検査を実施する。このＰＥＴ検査終了時に放射線検出器Ａへの電圧の印加を停止する。以下、必要なだけこれらの操作を繰返す。以上のように、特開平７−２０２４５号公報での放射線検査では、ベッドの移動，放射線検出器の電圧の印加及びその印加停止をＸ線ＣＴ検査の回数に応じて何回か行う必要があり、放射線検査に長い時間を要する。
【００７２】
（２）本実施例は、Ｘ線ＣＴ検査を放射線検査期間の一部で実施しているため、Ｘ線
ＣＴ検査時において被検診者３５がＸ線の照射によって受ける放射線量は許容被曝線量以下となる。
【００７３】
（３）Ｘ線を検出する放射線検出器４として、γ線を検出した放射線検出器４を用いるため、放射線検査装置１は、Ｘ線を検出する放射線検出器４とγ線を検出した放射線検出器４とを別々に設ける必要がなく、構成を単純化でき、小型化できる。放射線検出器４は、Ｘ線検出信号及びγ線検出信号の両方を出力する。
【００７４】
（４）放射線検査期間内で複数回のＸ線ＣＴ検査を実施しているため、もし、被検診者３５が放射線検査期間内で動いた場合に、動いた後の状態でのＸ線検出信号を得ることができる。従って、放射線検査期間内で得たγ線検出信号、及びその放射線検査期間内で実施された複数回のＸ線ＣＴ検査で得た各Ｘ線検出信号に基づいて、被検診者３５が動いた場合でも、被検診者３５に対する精度の高い断層像(患部の像、骨及び内臓等の像を含む)を得ることができる。すなわち、被検診者３５が動いた場合の影響が後述のＸ線ＣＴ像及びＰＥＴ像にそれぞれ現れるため、その影響を含む両像を用いて後述するように精度の良い合成断層像を得ることができる。
【００７５】
（５）本実施例は、Ｘ線を検出する放射線検出器４としてγ線を検出した放射線検出器４を用いている（Ｘ線検出信号を得るＸ線の検出は、γ線検出信号を得るγ線の検出を行う放射線検出器４を用いて行う）。このため、本実施例は、環状に配置された放射線検出器４の１つの出力信号であるＸ線検出信号を用いて、被検診者３５の内臓及び骨等の画像を含む患部（ＰＥＴ用薬剤が集積）の位置での第１の断層像（Ｘ線ＣＴ像）を再構成でき、その放射線検出器４の他の出力信号であるγ線検出信号を用いて、その被検診者３５の患部の画像を含む第２の断層像(ＰＥＴ像)を再構成できる。第１断層像のデータ及び第２断層像のデータは透過Ｘ線及びγ線の両方を検出する放射線検出器４の出力信号に基づいて再構成されているので、患部の位置における第１断層像のデータ及び第２断層像のデータを精度良く位置合わせして合成することができる。このため、患部，内臓及び骨等の画像を含む精度の良い断層像（合成断層像）を簡単に得ることができる。この合成断層像によれば、内臓及び骨との関係で、患部の位置を正確に知ることができる。例えば、第１断層像のデータ及び第２断層像のデータを、撮像装置２の孔部３０の軸心を中心に合わせることによって、簡単に両断層像を合成した画像データを得ることができる。
【００７６】
（６）本実施例は、Ｘ線源９から照射されて被検診者３５の患部を透過するＸ線をＸ線検出部によって検出し、そのＸ線を照射している被検診者３５の位置で被検診者３５の体内のＸ線が透過する部位（患部）から放射性薬剤に起因して放出されるγ線を、γ線検出部によって検出するため、被検診者３５をベッド１６により移動させずに同じ位置でＸ線ＣＴ検査及びＰＥＴ検査を実施できる。その両検査中に、Ｘ線検出部は被検診者３５の患部を透過したＸ線の検出信号を、γ線検出部は患部から放出されたγ線の検出信号をそれぞれ出力する。そのＸ線検出信号に基づいて得られた、患部の位置における第１断層像データ、及びそのγ線検出信号に基づいて得られた、患部の位置における第２断層像データを合成するため、検査中に耐え切れずに被検診者３５がベッド１６上で動いた場合でも、それらの断層像データを精度よく合成することができる。すなわち、精度の良い合成断層像データを得ることができる。このため、表示装置２９に表示された、患部の位置での合成断層像データ（合成断層像画像）を用いることによって、患部の診断精度を向上できる。特に、臓器が込み入っている箇所に患部が存在する場合でも、本実施例で得られた合成断層画像により患部の位置を適切に把握でき、患部の診断精度が向上する。
【００７７】
（７）本実施例は、Ｘ線源軸方向移動装置（例えば、軸方向移動アーム１１）を用いてＸ線源９を放射線検査期間中に放射線検出部６５の軸方向に移動できるので、被検診者
３５を放射線検出部６５の軸方向に移動させないで、検査対象範囲に対してＰＥＴ検査を実施しながらその検査対象範囲に対してＸ線ＣＴ検査を実施できる。検査対象範囲に対するＸ線ＣＴ検査を、Ｘ線源９をその軸方向に移動させずに被検診者３５をベッド１６の移動によって実行する場合には、ＰＥＴ用薬剤が集積した部位の位置もその軸方向に移動する。これは、γ線対を発生する位置をその軸方向に移動させることになり、ＰＥＴ像データの作成に対するノイズが増大し、精度の良いＰＥＴ像のデータが得られなくなる。本実施例は、γ線対を発生する位置がその軸方向に移動しないため、精度の良いＰＥＴ像のデータが得られ、合成断層像データの精度も向上する。
【００７８】
（８）本実施例は、放射線検出部６５に含まれるそれらの放射線検出器４によって、被検診者３５から放出される複数のγ線の対を検出できると共に、周方向に移動するＸ線源９から放出されて被検診者３５を透過したＸ線も検出できる。このため、従来技術は撮像装置としてＸ線を検出する撮像装置及びγ線を検出する他の撮像装置を必要としていたが、本実施例は、Ｘ線及びγ線を検出する一台の撮像装置があればよく、Ｘ線ＣＴ検査及びＰＥＴ検査の両方を実施できる放射線検査装置の構成が単純化できる。
【００７９】
（９）本実施例は、第１の断層像を作成するために必要なＸ線検出信号、及び第２の断層像を作成するために必要なγ線検出信号を共用する放射線検出器４から得ることができるため、被検診者３５の検査に要する時間（検査時間）を著しく短縮できる。換言すれば、短い検査時間で、第１の断層像を作成するために必要なＸ線検出信号、及び第２の断層像を作成するために必要なγ線検出信号を得ることができる。本実施例は、従来技術のように、被検診者を、透過Ｘ線を検出する撮像装置からγ線を検出する他の撮像装置まで移動させる必要がなくなるため、被検診者の検査時間の短縮に更に、貢献する。
【００８０】
（１０）本実施例は、Ｘ線源９を周回させて放射線検出部６５を孔部３０の周方向及び軸方向に移動させないため、放射線検出部６５を移動させるに必要なモーターに比べてＸ線源９を周回させるモーターの容量を小さくできる。後者のモーターの駆動に要する消費電力も、前者のモーターのそれよりも少なくできる。
【００８１】
（１１）Ｘ線検出信号処理装置２２、すなわち第１信号処理装置に入力されるγ線検出信号が著しく減少するため、精度の良い第１断層像のデータを得ることができる。このため、第１断層像のデータと第２断層像のデータとを合成して得られた画像データを用いることにより、患部の位置をより正確に知ることができる。
【００８２】
（１２）本実施例は、放射線検出部６５の内側でＸ線源９が周回するため、環状保持部５の直径が大きくなり、環状保持部５の内側で周方向に設置できる放射線検出器４の個数を多くすることができる。周方向における放射線検出器４の個数の増加は、感度，分解能の向上をもたらし、被検診者３５の横断面の分解能を向上させる。
【００８３】
（１３）本実施例では、Ｘ線源９が取付けられる軸方向移動アーム１１及びＸ線源９は放射線検出器４の内側に位置しているため、Ｘ線ＣＴ検査時においてそれらが被検診者
３５から放出されるγ線を遮って、それらの真後ろに位置する放射線検出器４がそのγ線を検出できなく、ＰＥＴ像の作成に必要な検出データが欠損する可能性がある。しかし、本実施例は、前述のように、Ｘ線源駆動装置１０によってＸ線源９及び軸方向移動アーム１１が周方向に周回しているので、実質的にはデータの欠損は問題とならない。特に、Ｘ線源９及び軸方向移動アーム１１の周回速度は約１秒／１スライスであり、最短で数分オーダーのＰＥＴ検査に要する時間と比較すると十分短い。これによっても、実質的にはそのデータの欠損は問題にならない。また、Ｘ線ＣＴ検査が行われずＰＥＴ検査が実施されるときには、Ｘ線源９がＸ線源駆動装置１０内に収納されるため、Ｘ線源９及び軸方向移動アーム１１がγ線検出の障害にはならない。
【００８４】
（１４）本実施例は、Ｘ線検出部がベッドの長手方向においてγ線検出部の一端とγ線検出部の他端との間に形成される領域に位置しているため、ベッドの移動によらないで被検体が検査中に動いた場合でも、γ線検出部から出力されたγ線検出信号より得られた第１情報、及びＸ線検出部から出力されたＸ線検出信号より得られた第２情報を用いて作成された被検体の断層像の精度を向上することができる。これは、その断層像を用いることにより、被検体に対する診断精度を向上させることができる。具体的には癌の患部の位置及び大きさを精度良く認識できる。特に、小器官であるリンパ腺の癌を精度良く診断できる。
【００８５】
更に、Ｘ線ＣＴ像の作成のために必要なＸ線検出信号を得るために要する検査時間は、ＰＥＴ像の作成のために必要なγ撮像信号を得るために要する検査時間よりも短い。このため、そのγ線検出信号得るための検査時間の間、常にＸ線源９からＸ線を被検診者に照射してＸ線検出信号を得ることによって、被検診者が検査中に動いた場合でもＸ線検出信号に基づいて得られるＸ線ＣＴ像の連続像から、被検診者の揺動に伴うＰＥＴ像のデータのずれを補正することもできる。
【００８６】
実施例１において、統括制御装置４７の制御機能をコンピュータ２７にてプログラムを用いて実施してもよい。この場合、その制御機能を有するコンピュータ２７は、実質的に、断層像データ作成装置及び統括制御装置４７を一体化した装置である。
【００８７】
実施例１では、Ｘ線の照射はファンビーム形状で行われているがＸ線の照射はこれに限定されない。例えばＸ線をコーンビーム状に照射して３次元の合成断層像のデータを得ることも可能である。実施例１では、放射線検出器４としてＣｄＴｅを適用した半導体放射線検出器を用いているが、ＣＺＴ及びＧａＡｓ等を適用した半導体放射線検出器を用いることもできる。また、半導体放射線検出器以外の放射線検出器であるシンチレータを使用することも可能である。実施例１では、Ｘ線源、またはＸ線源及び放射線検出器を被検体の周りで旋回させているが、Ｘ線源及び放射線検出器を固定して被検体を回転させてもよい。
【００８８】
実施例１は、被検体に対する孔部３０の軸方向における検査をベッド１６の移動により行っている。これに対して、その検査を、ベッド１６を固定して撮像装置をその軸方向に移動することによって実施することもできる。また、放射線検出器の配置は、円筒形に限定されず、例えば、六角形等の多角形の筒状にしてもよい。
【００８９】
被検診者３５の患部の位置が予め特定されていない場合には、ベッド１６を移動させて被検診者３５の全身にわたってＰＥＴ検査が実施される。このＰＥＴ検査が実施されている間に、Ｘ線源９が周方向に周回され、ＰＥＴ検査を実施する個所に対してＸ線ＣＴ検査が実施される。
【００９０】
実施例１では図６に示すようにＸ線ＣＴ検査を４回実施しているが、被検体を完全固定できる場合、或いは検査対象範囲が狭くＰＥＴ検査が短時間で終了する場合にはＸ線ＣＴ検査の回数は１回でもよい。
【００９１】
実施例１において、図４の信号弁別装置１９の替りに図１０に示す信号弁別装置１９Ａを用いてもよい。信号弁別装置１９Ａは、図１０に示すように、波形整形装置２０，γ線弁別装置２１及び波高分析装置５８を有する。放射線検出器４一個毎に設けられる信号弁別装置２１は、切替スイッチ３１を有していなく、波形整形装置２０が配線２３によって対応する放射線検出器４に接続される。波高分析装置５９は波形整形装置２０及びコンピュータ２７に接続される。波形整形装置２０に接続されるγ線弁別装置２１は同時計数装置２６に接続される。波高分析装置５９はＸ線検出信号処理装置である。
【００９２】
信号弁別装置１９Ａを用いる場合には、Ｘ線放出制御部５１は、Ｘ線ＣＴ検査開始信号の入力によりシャッター開信号を出力し、Ｘ線ＣＴ検査終了信号の入力により、シャッター閉信号を出力する。このため、Ｘ線ＣＴ検査期間中においては、Ｘ線を照射する際にシャッター４４は常に開いており、放射線検出器４はＸ線を検出すると共にγ線も検出する。信号弁別装置１９Ａは放射線検出器４の出力信号からＸ線検出信号とγ線検出信号とを別々に分離する機能を有する。すなわち、信号弁別装置１９Ａは、１つの放射線検出器４から出力されたＸ線検出信号とγ線検出信号とをエネルギー弁別する装置である。波形整形装置２０は、γ線検出信号と共にＸ線検出信号をもガウス分布に整形して出力する。波形整形装置２０の出力であるγ線検出信号及びＸ線検出信号は、γ線弁別装置２１及び波高分析装置５９に入力される。γ線弁別装置２１がγ線検出信号を処理し、波高分析装置５９がＸ線検出信号を処理する必要がある。γ線弁別装置２１は信号弁別装置１９のγ線弁別装置２１と同じ機能を発揮する。被検診者３５に照射されるＸ線のエネルギーは８０ｋｅＶである。波高分析装置５９は、第２エネルギー設定値（７０ｋｅＶ）以上で第３エネルギー設定値（９０ｋｅＶ）以下の範囲のエネルギーを有するＸ線検出信号が波形整形装置２０から入力されたとき、そのＸ線検出信号の設定周期ごとの積算値、すなわちＸ線強度の情報を出力する。波高分析装置５９の負荷はそのような特定エネルギーのＸ線検出信号の処理を行うことによって著しく軽減される。
【００９３】
（実施例２）
次に、図１に示す放射線検査装置１を用いた放射線検査支援方法を図１１を用いて説明する。医療機関である病院は、各日にち毎の放射線検査を受ける各被検診者の氏名を情報端末６３に入力し、病院のサーバ６２，通信回線６４を介して放射線検査支援事業者のサーバ６０宛てに送信し、放射線検査支援事業者に放射線検査の依頼をする。送信された放射線検査日及び放射線検査日毎の各被検診者の氏名は、放射線検査支援事業者の情報端末６１の表示装置に表示される。放射線検査支援事業者が所有する、検査に用いる放射線検査装置１は、その病院内に設置されている。ＰＥＴ用薬剤は、その病院が被検診者３５に投与する。放射線検査支援事業者の従業員である放射線技師が、その薬剤を投与された被検診者３５をベッド１６上に寝かせる。その放射線技師がボタンスイッチ５４を押すと、実施例１で述べたように、統括制御装置４７による制御によって、放射線検査装置１を用いた該当する被検診者３５に対する放射線検査、すなわちＰＥＴ検査及びＸ線ＣＴ検査が実施される。この放射線検査によって放射線検出器４からの出力であるγ線検出信号及びＸ線検出信号が実施例１のように処理される。この処理によって得られた各情報がコンピュータ２７に入力されて図９の処理が実行され、合成断層データが作成される。合成断層像データは、被検診者の氏名の情報と共に、コンピュータ２７からサーバ６０に出力され、通信回線６４，サーバ６２を経て検査の依頼者である病院の情報端末６３に入力されて表示装置に表示される。病院の医者は、表示された合成断層を見て患部の診断を行う。放射線検査装置１を用いて放射線検査を実施するため、実施例で生じる効果（１）〜(１３)を得ることができる。特に、本実施例は、前述したように放射線検査期間内でＰＥＴ検査行っているときにＸ線ＣＴ検査を行うので、患部及び骨等を含む精度の良い断層像を病院に提供できる。病院の医者はその断層像に基づいて患部の適切な診断を行うことができる。本放射線支援方法は、Ｘ線の検出位置とγ線の検出位置が少なくとも一部で同じ位置
（複数の放射線検出器４の少なくとも一部を共用してその一部の各放射線検出器４のそれぞれがＸ線及びγ線の両検出信号を出力）で行われる放射線検査を実施するとも言える。
【００９４】
本実施例において、放射線検査装置１の替りに後述の実施例における放射線検査装置
１Ａ，１Ｂ，１Ｃ及び１Ｄのいずれかを用いてもよい。
【００９５】
（実施例３）
本発明の他の実施例である実施例３の放射線検査装置を、図１２及び図１３に基づいて説明する。本実施例の放射線検査装置１Ａは、撮像装置２Ａ及び被検診者保持装置１４を備え、更に、図示されていないが、実施例１で述べた信号弁別装置１９，同時計数装置
２６，コンピュータ２７，記憶装置２８及び表示装置２９を備えている。本実施例の被検診者保持装置１４の構成は、実施例１で述べたその構造と同じである。
【００９６】
撮像装置２Ａは、ベッド１６の長手方向に対して直角の方向に設置されており、放射線検出器環状体３Ａ、Ｘ線源周方向移動装置７、駆動装置制御装置７０及びＸ線源制御装置７１を有する。放射線検出器環状体３Ａは、環状保持部５Ａ、及び環状保持部５Ａの内側に環状に設置された多数の放射線検出器４を含む。図１２及び図１３に示すように、放射線検出器環状体３Ａには間隙である半円形のスリット６９が軸方向に複数個設けられている。具体的には、それらのスリット６９は環状保持部５Ａに形成されている。それらのスリット６９の部分を除いて、環状保持部５Ａの内側に実施例１と同様に多数の放射線検出器（半導体放射線検出器）４が設置されている。放射線検出器環状体３Ａに含まれる多数の放射線検出器４は筒状の放射線検出部６５Ａを構成する。環状保持部５Ａは、支持部材６上に設置される。
【００９７】
本実施例のＸ線源周方向移動装置７は、実施例１のその構成と同じである。Ｘ線源装置８のＸ線源駆動装置１０は、図１２に図示されていないが、モーター１７及び１８（図１参照）を備える。本実施例では、Ｘ線源９及び軸方向移動アーム１８は、放射線検出部
６５Ａの外側、具体的には放射線検出器環状体３Ａの外側に配置される。駆動装置制御装置７０及びＸ線源制御装置７１は環状保持部５Ａの外周面に設置される。本実施例も、Ｘ線ＣＴ検査及びＰＥＴ検査を一台の撮像装置２Ａを用いて行う例である。
【００９８】
放射線検査を行う前に、実施例１と同様に予め注射などの方法によりＰＥＴ用薬剤が、体内投与放射能が３７０ＭＢｑになるように、被検体である被検診者３５に投与される。被検診者３５は、ＰＥＴ用薬剤が撮像可能な状態に体内に拡散して患部６６に集まるまでの所定時間の間、待機する。その所定時間が経過した後、被検診者３５を被検診者保持装置１４のベッド１６上に寝かせる。本実施例におけるＸ線ＣＴ検査及びＰＥＴ検査は、被検診者３５が横たわっているベッド１６を移動させて被検診者３５を孔部３０内に挿入された状態で撮像装置２Ａを用いて行われる。
【００９９】
Ｘ線源制御装置７１はＸ線源９からのＸ線の放出時間を制御する。すなわち、Ｘ線源制御装置７１は、Ｘ線ＣＴ検査中において、Ｘ線発生信号を出力してＸ線源９におけるＸ線管４２の陽極（または陰極）と電源との間に設けられた開閉器５７（図１参照）を閉じ、第１設定時間経過した時にＸ線停止信号を出力して開閉器５７を開き、そして第２設定時間経過した時に開閉器５７を閉じる、という制御を繰り返す。陽極と陰極との間には、第１設定時間の間で電圧が印加され、第２設定時間の間で電圧が印加されない。この制御によって、Ｘ線管４２からＸ線６７がパルス状に放出される。本実施例のＸ線源９は、実施例１のようにシャッター４４を設けていない。第１設定時間である照射時間Ｔは、実施例１と同じで、放射線検出器４でのγ線の検出確率を無視できるように例えば１μsec に設定される。第２設定時間は、Ｘ線源９が１つの放射線検出器４とこれに周方向において隣接する他の放射線検出器４の間を移動する時間Ｔ０であり、ガイドレール１２の周方向におけるＸ線源９の移動速度で定まる。第１及び第２設定時間はＸ線源制御装置７１に記憶されている。
【０１００】
Ｘ線源９から放射されるＸ線６７がスリット６９を通ってスリット６９と対向する位置にある放射線検出器４と孔部３０の軸方向で隣接する放射線検出器４に入射するように、Ｘ線源９は斜めに取付けられている。各スリット６９はＸ線を通すＸ線用開口部である。Ｘ線ＣＴ検査を開始するときは、駆動装置制御装置７０が駆動開始信号を出力して、モーター１７に接続された、電源とつながる第１開閉器（図示せず）を閉じる。電流の供給によりモーター１７が回転し、その回転力が動力伝達機構を介してピニオンに伝えられ、ピニオンが回転する。ピニオンがガイドレール１２のラックと噛合っているため、Ｘ線源装置８、すなわちＸ線源９がガイドレール１２に沿って周方向に移動する。Ｘ線源９は、放射線検出器環状体３Ａの周囲を設定速度で移動する。Ｘ線ＣＴ検査終了時には、駆動装置制御装置７０は駆動停止信号を出力して第１開閉器を開く。これによって、Ｘ線源９の周方向への移動が停止される。スリット６９は半円形に設置されており、Ｘ線源９の移動もこの範囲内である。本実施例では、放射線検出部６５Ａは、その周方向に移動しなく、かつ孔部３０の軸方向にも移動しない。移動しないＸ線源制御装置７１及び駆動装置制御装置７０から移動するＸ線源装置８への制御信号の伝送はＸ線源装置８の移動に支障にならない公知の技術を適用する。
【０１０１】
Ｘ線ＣＴ検査を開始する際に駆動装置制御装置７０から出力された駆動開始信号はＸ線源制御装置７１に入力される。Ｘ線源制御装置７１は、駆動開始信号の入力に基づいてＸ線発生信号を出力する。その後、Ｘ線停止信号及びＸ線発生信号を繰り返して出力する。Ｘ線停止信号及びＸ線発生信号の繰り返し出力によって、Ｘ線源９は、第１設定時間、すなわち１μsec の間にＸ線を放出し、第２設定時間の間にＸ線の放出を停止する。このＸ線の放出及び停止がＸ線源９の周方向への移動期間中に繰り返されることになる。Ｘ線源９から放出されたそのＸ線６７は、ファンビーム状に、スリット６９を通過して孔部３０内に挿入された被検診者３５に照射される。Ｘ線源９の周方向の移動によって、ベッド
１６上の被検診者３５は周囲よりＸ線６７を照射される。このＸ線６７は、被検診者３５を透過した後、孔部３０の軸心を基点にスリット６９から１８０度の位置にある放射線検出器４の隣の放射線検出器４を中心に周方向に位置する複数個の放射線検出器４によって検出される。これらの第１放射線検出器４は、そのＸ線の検出信号を出力する。このＸ線検出信号は、該当する配線２３を経て対応するそれぞれの信号弁別装置１９に入力される。
【０１０２】
図１２に示されたＸ線６７が通過しているスリット６９の位置でスリット６９の範囲内で周方向におけるＸ線源９の移動が終了し、そのスリット６９の位置でのＸ線ＣＴ検査が終了した後、駆動装置制御装置７０はＸ線源駆動装置１０のモーター１８に接続された電源とつながる第２開閉器（図示せず）を閉じる。これにより、モーター１８が駆動して軸方向移動アーム１１が縮んで、Ｘ線源９がスリット６９Ａの位置まで移動される。Ｘ線源９からのＸ線６７の放出は、軸方向移動アーム１１が伸縮動作するときには、Ｘ線源制御装置７１の作用により停止される。
【０１０３】
Ｘ線源９がスリット６９Ａの位置に到達した後、Ｘ線源制御装置７１はＸ線源９からＸ線６７を放出させる。Ｘ線６７はスリット６９Ａを通過し、スリット６９Ａに対向している患部６６を透過する。患部６６を透過したＸ線６７は放射線検出器４で検出される。
【０１０４】
孔部３０内に挿入された、ベッド１６上の被検診者３５の患部６６からは、ＰＥＴ用薬剤に起因した５１１ｋｅＶのγ線６８が放出されている。第１放射線検出器４以外の放射線検出器（第２放射線検出器）４は、そのγ線６８を検出し、このγ線６８の検出信号を出力する。このγ線検出信号は、該当する配線２３を経て対応するそれぞれの信号弁別装置１９に入力される。
【０１０５】
信号弁別装置１９における切替スイッチ３１の切り替え操作は、駆動装置制御装置７０によって制御される。駆動装置制御装置７０は、実施例１における切替スイッチ制御部
５２と同様な制御を行い、可動端子３２の固定端子３３または固定端子３４への接続を切り替える。駆動装置制御装置７０が、Ｘ線源９の周方向への移動に伴って別の放射線検出器４を選択したときには、新たに第１放射線検出器４となる放射線検出器４に接続された可動端子３２は固定端子３４に接続される。Ｘ線源９の周方向への移動に伴って第１放射線検出器４でなくなった放射線検出器４に接続された可動端子３２は駆動装置制御装置
７０によって固定端子３３に接続される。
【０１０６】
本実施例も、実施例１と同様に、放射線検出部６５Ａにおける個々の放射線検出器４は、Ｘ線源９の位置との関係で、あるときは第１放射線検出器４となり、別のあるときには第２放射線検出器４となる。このため、１つの放射線検出器４は、時間的に別々ではあるがＸ線検出信号及びγ線検出信号の両方を出力する。第１設定時間である１μsec の間に第１放射線検出器４が被検診者３５から放出されるγ線６８を検出する確率は、前述したように、無視できるほど小さい。
【０１０７】
被検診者３５の患部６６の位置が予め特定されていない場合には、被検診者３５の全身に対して、一度にＰＥＴ検査が実施できる範囲（放射線検出部６５Ａの軸方向の長さ）毎にそれぞれＰＥＴ検査が実施される。この各ＰＥＴ検査毎に、Ｘ線源９が周方向に周回され、ＰＥＴ検査を実施する個所に対してＸ線ＣＴ検査がそれぞれ実施される。被検診者
３５の患部６６の位置が予め他の検査によって特定されている場合には、ベッド１６を移動させて予め特定されている患部６６の位置を孔部３０内に挿入し、撮像装置２Ａを用いてその患部付近に対しＰＥＴ検査及びＸ線ＣＴ検査を実施する。
【０１０８】
放射線検出器４から出力されたＸ線検出及びγ線検出信号は、信号弁別装置１９で実施例１と同様に処理される。同時計数装置２６は、各信号弁別装置１９のγ線弁別装置２１からのパルス信号を入力し、実施例１と同様な処理を実行する。コンピュータ２７は、実施例１で述べた、図９に示すステップ３６〜４１の各処理を実行し、被検診者３５の患部６６の位置における横断面の合成断層像データを求めてその合成断層像データを表示装置２９に表示する。
【０１０９】
本実施例も、被検診者３５の断層像データの作成に必要とするγ線７８の検出信号を得るための放射線検査期間内で、患部６６から放出されるγ線６８を検出するＰＥＴ検査と、被検診者３５を透過するＸ線６７を検出するＸ線ＣＴ検査を実施している。そのＸ線
ＣＴ検査に要する時間は、そのＰＥＴ検査に要する時間よりも短い。本実施例におけるＸ線ＣＴ検査の開始は、放射線技師等のオペレータが操作盤（図示せず）上のＸ線ＣＴ検査開始用ボタンを押すことによって、駆動装置制御装置７０のＸ線ＣＴ検査開始信号が入力され、駆動装置制御装置７０が前述の駆動開始信号を出力することに行われる。本実施例も、図６に示すように１放射線検査期間内で複数回のＸ線ＣＴ検査を実施してもよい。
【０１１０】
本実施例では、Ｘ線源９を周方向に移動させて１つのスリット６９を通過するＸ線６７の検出信号を用いて、被検診者３５の１つの横断面における二次元断面データを得ている。被検診者３５の他の横断面における二次元断面データは、軸方向移動アーム１１を伸縮させてＸ線源９を他のスリット６９の位置へ移動させることによって得られる。これらの二次元断面データを積み重ねることによって、三次元の断面データを得ることができる。
【０１１１】
本実施例によれば、実施例で生じる（１）〜（１１）及び（１４）の効果を得ることができる。本実施例は、更に、以下に示す（１５）及び（１６）の効果を得ることができる。γ線検出部及びＸ線検出部を有する放射線撮像装置２Ａも、放射線検出装置である。
【０１１２】
（１５）本実施例は、筒状の放射線検出部６５Ａの外側でＸ線源９が周回するため、放射線検出部の直径が小さくなる。陽電子消滅の際に放射される一対のγ線は１８０度±
０.６ 度に放出されるので、放射線検出部の直径が小さくなると誤差が小さくなり、画像分解能が向上する。また、放射線検出器４の個数を減少できる。
【０１１３】
（１６）本実施例では、Ｘ線源９が取付けられる軸方向移動アーム１１及びＸ線源９は放射線検出器４の外側に位置しているため、それらが被検診者３５から放出されるγ線を遮って、それらの真後ろに位置する放射線検出器４がそのγ線を検出できなく、ＰＥＴ像の作成に必要な検出データが欠損する可能性が完全に無くなる。
【０１１４】
（実施例４）
本発明の他の実施例である実施例４の放射線検査装置を図１４及び図１５に基づいて説明する。本実施例の放射線検査装置１Ｂは、撮像装置２Ｂ，被検診者保持装置１４を備え、図１４に図示されていないが、図１０に示されたγ線弁別装置２１，及び実施例１で述べた同時計数装置２６，コンピュータ２７，記憶装置２８及び表示装置２９を備える。実施例３との違いは撮像装置２Ｂにあるので、以下主に撮像装置２Ｂを中心に説明する。
【０１１５】
撮像装置２Ｂは、複数の放射線検出器環状体３Ｂ，Ｘ線源装置８Ａ，Ｘ線検出装置７７，検出器保持装置７２，周方向ガイドレール７４，Ｘ線源軸方向ガイドレール７５及び検出器軸方向ガイドレール７６を備えている。
【０１１６】
複数の放射線検出器環状体３Ｂは、各々独立に検出器保持装置７２により、軸方向において並行に支持部材６に設置される。各々の放射線検出器環状体３Ｂは、環状保持部５Ｂの内面に複数の放射線検出器４を周方向及び軸方向に設置している。環状保持部５Ｂが検出器保持装置７２に取り付けられる。各放射線検出器環状体３Ｂの相互間に、間隙７３がそれぞれ形成される。環状の周方向ガイドレール７４が各環状保持部５Ｂの外面に設けられる。Ｘ線源軸方向ガイドレール７５及び検出器軸方向ガイドレール７６は、お互いに
１８０°離れた位置で各環状保持部５Ｂの外面に軸方向に延びて設けられる。
【０１１７】
Ｘ線源装置８Ａは、Ｘ線源駆動装置１０、及びＸ線源駆動装置１０に設けられたＸ線源９を有する。Ｘ線源駆動装置１０は、そのケーシング内に、図示されていないが、モーター，減速機構、及び周方向移動用と軸方向移動用の２種のピニオンを有する。Ｘ線源装置８Ａの周方向移動時には、減速機構が周方向移動用ピニオンに接続され、モーターが回転した駆動力を周方向移動用ピニオンに伝達する。Ｘ線源装置８Ａの軸方向移動時には、減速機構が軸方向移動用ピニオンに接続され、モーターが回転した駆動力を軸方向移動用ピニオンに伝達する。周方向移動用ピニオンは周方向ガイドレール７４に設けられたラックと噛み合うことにより、また軸方向移動用ピニオンはＸ線源軸方向ガイドレール７５に設けられたラックと噛み合うことにより、自走式のＸ線源装置８Ａは環状保持部３Ｂの外面側においてそれぞれの方向に移動可能である。Ｘ線源９はＸ線源装置８Ａ内で環状保持部５Ｂに面して設けられる。
【０１１８】
Ｘ線検出装置７７は、環状保持部５Ｂの外側で、半円の連結部材（図示せず）によってＸ線源装置８Ａに連結される。このため、Ｘ線源装置８Ａが周方向ガイドレール７４に沿って環状保持部５Ｂの周方向に移動するときには、Ｘ線検出装置７７は、Ｘ線源装置８Ａの移動に伴って周方向ガイドレール７４に沿って環状保持部５Ｂの外側で環状保持部５Ｂの周方向に移動する。Ｘ線源装置８ＡがＸ線源軸方向ガイドレール７５に沿って環状保持部５Ｂの軸方向に移動するときには、Ｘ線検出装置７７は、Ｘ線源装置８Ａの移動に伴って検出器軸方向ガイドレール７６に沿って環状保持部５Ｂの外側で環状保持部５Ｂの軸方向に移動する。Ｘ線検出装置７７は複数のＸ線検出器７８を孔部３０の周方向に配置している。その複数のＸ線検出器７８によってＸ線検出部が構成される。Ｘ線検出器７８は環状保持部５Ｂの軸方向にも複数個配列してもよい。
【０１１９】
筒状のγ線検出部８０は、全ての放射線検出器環状体３Ｂに設けられた放射線検出器４によって構成される。Ｘ線検出部は、ベッド１６の長手方向においてγ線検出部８０の一端とγ線検出部８０の他端との間に形成される領域内に位置している。放射線検出器４及びＸ線検出器７８は、実施例１で述べた半導体放射線検出器である。本実施例では、Ｘ線源９が放射線検出器環状体３Ｂ、すなわちγ線検出部８０の外側に配置される。
【０１２０】
本実施例は、Ｘ線検出部及びγ線検出部が一体である実施例１及び３と異なり、Ｘ線検出部及びγ線検出部が別々に設けられている。Ｘ線検出部及びγ線検出部が別々である構成は、後述の実施例５及び６においても適用される。γ線検出部及びＸ線検出部を有する放射線撮像装置２Ｂも、放射線検出装置である。
【０１２１】
ＰＥＴ用薬剤を投与された被検診者３５は、ベッド１６を移動させることによって孔部３０内の所定の位置まで移動される。放射線技師等のオペレータが操作盤（図示せず）上のＸ線ＣＴ検査開始用ボタンを押すことによって、駆動装置制御装置（図示せず）及びＸ線源制御装置（図示せず）にＸ線ＣＴ検査開始信号が入力され、本実施例におけるＸ線
ＣＴ検査が開始される。Ｘ線ＣＴ検査開始信号を入力したＸ線源制御装置は、開閉器５７（図１参照）を閉じる。これにより、Ｘ線源９からＸ線６７が放出される。Ｘ線源９から放出されたＸ線６７は間隙７３を通過して被検診者３５に照射される。駆動装置制御装置の制御により上記モーターが回転され、Ｘ線源装置８Ａが周方向ガイドレール７４に沿って移動する。Ｘ線源装置８Ａ及びＸ線検出装置７７は、隣接する検出器保持装置７２間に形成される空間７９内を移動して回転する。このため、Ｘ線源９から放出されるＸ線６７は、周囲から被検診者３５に照射される。被検診者３５を透過したＸ線６７は、Ｘ線検出部のＸ線検出器７８によって検出される。Ｘ線源装置８Ａ及びＸ線検出装置７７を隣の間隙７３（例えば間隙７３Ａ）まで移動させるためには、１つの間隙７３を通しての被検診者３５へのＸ線６７の照射が完了した後、Ｘ線源装置８ＡをＸ線源軸方向ガイドレール
７５に沿って移動させる。そのとき、Ｘ線検出装置７７は検出器軸方向ガイドレール７６に沿って移動する。Ｘ線源装置８ＡのＸ線源軸方向ガイドレール７５に沿った移動時においては、Ｘ線源制御装置の制御により開閉器５７が開くため、Ｘ線源９からはＸ線が放出されない。Ｘ線源装置８Ａが隣の間隙７３Ａに達したとき、Ｘ線源装置８Ａ及びＸ線検出装置７７を周方向ガイドレール７４に沿って移動させる。このとき、Ｘ線源制御装置の作用によりＸ線源９からＸ線６７が放出される。このＸ線６７は、その間隙７３Ａを通過して被検診者３５の患部６６に照射される。患部６６を透過したＸ線６７は放射線検出器
７８によって検出される。Ｘ線ＣＴ検査は、Ｘ線源装置８ＡがＸ線ＣＴ検査終了時の所定位置に到達したときに終了する。
【０１２２】
γ線検出部８０の各放射線検出器４は、患部６６から放出されるγ線６８を検出する。放射線検出器４から出力されたγ線検出信号は、波形整形装置２０を介してγ線弁別装置２１に入力される。γ線弁別装置２１は、実施例１に示す処理を実行してパルス信号を出力する。同時計数装置２６は、各信号弁別装置１９のγ線弁別装置２１からのパルス信号を入力し、実施例１と同様な処理を実行する。  Ｘ線検出器７８から出力されたＸ線検出信号は、信号処理装置（図示せず）で処理される。その信号処理装置は、Ｘ線検出信号の積分値であるＸ線の強度情報を出力する。上記したＸ線強度情報を入力するコンピュータ２７は、実施例１で述べた、図９に示すステップ３６〜４１の各処理を実行し、被検診者３５の患部６６の位置における横断面の合成断層像データを求めてその合成断層像データを表示装置２９に表示する。
【０１２３】
本実施例も、被検診者３５の断層像データの作成に必要とするγ線７８の検出信号を得るための放射線検査期間内で、患部６６から放出されるγ線６８を検出するＰＥＴ検査と、被検診者３５を透過するＸ線６７を検出するＸ線ＣＴ検査を実施している。本実施例も、図６に示すように１放射線検査期間内で複数回のＸ線ＣＴ検査を実施してもよい。
【０１２４】
本実施例によれば、実施例３で生じる（１），（２），（４）,（６）,（７），(１０)，（１１）及び（１４）〜（１６）の効果を得ることができる。さらに、以下に示す効果も得ることができる。
【０１２５】
（１７）本実施例は、Ｘ線検出部（具体的にはＸ線検出器７８）がγ線検出部８０の軸方向における一端とその他端との間に配置されているため、ＰＥＴ検査を実施している被検診者３５の所定の領域に対して、被検診者３５をベッド１６により移動させずに同じ位置でＸ線ＣＴ検査を実施できる。このため、検査中に被検診者３５がベッド１６上で動いた場合でも、患部の位置での第１断層像データ及び第２断層像データを精度よく合成できる。例えば、第１断層像のデータ及び第２断層像のデータを、撮像装置２Ｂの孔部３０の軸心を中心に合わせることによって、簡単にかつ精度良く合成することができる。従って、特に、臓器が込み入っている箇所に患部が存在する場合でも、本実施例で得られた断層画像により患部の位置を適切に把握でき、患部の診断精度が向上する。
【０１２６】
（１８）本実施例では実施例１で用いられる切替スイッチ３１が不要となる。つまり、環状保持部５Ｂ上に設置している放射線検出器４は、配線２３で波形整形装置２０を介してγ線弁別装置２１に接続されている。一方、Ｘ線検出器７８は、配線（図示せず）で信号処理装置に直接接続されている。したがって回路構成が単純化される。また、切替スイッチ等の制御も必要なくなり制御方法も単純化できる。
【０１２７】
（１９）本実施例では、Ｘ線源装置８Ａ及びＸ線検出装置７７が３６０度回転可能な構成となっている。従って、Ｘ線ＣＴ検査において、１断層像を得るために３６０度方向のデータを得ることが可能となり、Ｘ線ＣＴ画像の画質の向上が図れる。
【０１２８】
（２０）本実施例では、孔部３０の中心軸に対してＸ線源装置８ＡとＸ線検出装置７７を対向の位置に配置している。従って、Ｘ線ＣＴ検査の２次元の断面画像の撮影時にＸ線をこの断面に平行に照射することが可能となり、Ｘ線ＣＴ画像の画質の向上が図れる。
【０１２９】
（２１）本実施例では、Ｘ線を間隙７３に対して平行に照射できる。従って、間隙７３の幅をビーム幅とほぼ同等な幅まで最小化することが可能である。間隙７３はＰＥＴ検査時のデータ欠損領域であり、間隙７３幅の最小化により、ＰＥＴ検査の高速化，画質の向上が図れる。
【０１３０】
（２２）本実施例では、Ｘ線検出装置７７をＰＥＴ検査用のγ線を検出する放射線検出器４と独立に備えている。従って、Ｘ線検出装置７７におけるＸ線検出器７８の配列ピッチを任意に設定可能であり、Ｘ線ＣＴ画像の高分解能化が容易に実施できる。
【０１３１】
（実施例５）
本発明の他の実施例である実施例５の放射線検査装置を図１６及び図１７に基づいて説明する。本実施例の放射線検査装置１Ｃは、撮像装置２Ｃ及び被検診者保持装置１４を備え、図１６に図示されていないが、図１０に示されたγ線弁別装置２１，及び実施例１で述べた同時計数装置２６，コンピュータ２７，記憶装置２８及び表示装置２９を備える。γ線検出部及びＸ線検出部を有する放射線撮像装置２Ｃも、放射線検出装置である。
【０１３２】
本実施例における撮像装置２Ｃは、構造的には、撮像装置２Ａに軸方向伸縮アーム８１及びＸ線検出部８２を付加した構成を有する。ただし、Ｘ線源装置保持部１３は、支持部材６に着脱可能取り付けられる支持部材８３に設置される。軸方向伸縮アーム８１は、軸方向伸縮アーム１１とは１８０°反対の位置でＸ線源駆動装置１０のケーシングに取り付けられる。Ｘ線検出部８２は、軸方向伸縮アーム８１の先端に設置され、図１７に示すように孔部３０の周方向に複数のＸ線検出器７８を備える。本実施例におけるＸ線源周方向移動装置７Ａは、Ｘ線源９，Ｘ線源駆動装置１０，Ｘ線源装置保持部１３，軸方向伸縮アーム１１，８１及びＸ線検出部８２を有する。筒状に配置された複数の放射線検出器４によって、γ線検出部８０Ａが構成される。軸方向伸縮アーム８１の伸縮動作は、軸方向伸縮アーム１１と同様にモーター１８の駆動によって行われる。撮像装置２Ｃの他の構成は、撮像装置２Ａと同じ構成を有する。なお、撮像装置２Ｃは、Ｘ線撮像装置８４及びγ線撮像装置８５を有する。Ｘ線撮像装置８４は、Ｘ線源周方向移動装置７Ａ，駆動装置制御装置７０，Ｘ線源制御装置７１及び支持部材８３を有する。γ線撮像装置８５は放射線検出器環状体３Ａ及び支持部材６を有する。
【０１３３】
Ｘ線源９及び軸方向伸縮アーム１１とＸ線検出部８２及び軸方向伸縮アーム８１は、Ｘ線源駆動装置１０がガイドレール１２に沿って移動することによって、実施例３と同様に、スリット６９の周方向の長さの範囲で、ベッド１６上の被検診者３５の周囲を移動する。Ｘ線源９から放出されたＸ線６７は、例えばスリット６９Ａを通ってＰＥＴ薬剤が投与された被検診者３５に照射され、患部６６を透過する。患部６６を透過したＸ線６７は、Ｘ線検出部８２のＸ線検出器７８によって検出される。Ｘ線源９及びＸ線検出部８２は、軸方向伸縮アーム１１，８１を伸縮動作させることによって、互いに対向した状態で孔部３０の軸方向に移動する。ＰＥＴ用薬剤に起因して患部６６から放出されたγ線６８は、γ線検出部８０Ａの放射線検出器４によって検出される。
【０１３４】
Ｘ線検出器７８から出力されたＸ線検出信号及び放射線検出器４から出力されたγ線検出信号は、実施例４と同様に処理される。この処理によって、被検診者３５の患部６６の位置における横断面の合成断層像データが求められ、その合成断層像データが表示装置
２９に表示される。
【０１３５】
本実施例によれば、実施例４で生じる（１），（２），（４）,（６）,（７），(１０)，（１１），（１４）〜（１８）及び（２０）〜（２２）の効果を得ることができる。本実施例は、更に、以下の効果を生じる。
【０１３６】
（２３）本実施例では、Ｘ線源９及びＸ線検出部８２が対向する位置でＸ線源駆動装置１０に取付けられており、Ｘ線源駆動装置１０の周方向移動によりＸ線検査が可能な構造である。従って、Ｘ線ＣＴ検査時に、Ｘ線源９及びＸ線検出部８２の、孔部３０の周方向への移動が同時に制御可能となり、制御方法が単純化できる。
【０１３７】
（２４）本実施例では、Ｘ線撮像装置８４が着脱可能な構造であり、取外し時には、Ｘ線撮像装置８４を用いて独立にＸ線ＣＴ検査を実施することができる。
【０１３８】
（実施例６）
本発明の他の実施例である実施例６の放射線検査装置を図１８及び図１９に基づいて説明する。本実施例の放射線検査装置１Ｄは、撮像装置２Ｄ及び被検診者保持装置１４を備え、図１８に図示されていないが、図１０に示されたγ線弁別装置２１，及び実施例１で述べた同時計数装置２６，コンピュータ２７，記憶装置２８及び表示装置２９を備える。撮像装置２Ｄは、概念的には、撮像装置２Ｂ（図１４）に撮像装置２ＣのＸ線撮像装置
８４（図１６）を適用したものである。すなわち、撮像装置２Ｄは、Ｘ線撮像装置８４及びγ線撮像装置８５Ａを備える。γ線撮像装置８５Ａは、実施例４における複数の放射線検出器環状体３Ｂ，支持部材６及び各放射線検出器環状体３Ｂを支持部材６に設置する検出器保持装置７２を有する。本実施例においては、Ｘ線検出部８２及び軸方向伸縮アーム
８１は放射線検出器環状体３Ｂの外側に配置する。本実施例では、Ｘ線源９及びＸ線検出部８２が、検出器保持装置７２以外の領域で、Ｘ線源駆動装置１０により孔部３０の周方向に移動できる。Ｘ線検出部８２は、図示されていないが、実施例５と同じ構成を有する。γ線検出部及びＸ線検出部を有する放射線撮像装置２Ｄも、放射線検出装置である。
【０１３９】
Ｘ線検出器７８から出力されたＸ線検出信号及び放射線検出器４から出力されたγ線検出信号は、実施例４と同様に処理される。この処理によって、被検診者３５の患部６６の位置における横断面の合成断層像データが求められ、その合成断層像データが表示装置
２９に表示される。
【０１４０】
本実施例によれば、実施例５で生じる（１），（２），（４）,（６）,（７），(１０)，（１１），（１４）〜（１８）及び（２０）〜（２４）の効果を得ることができる。本実施例は、実施例５に比べて放射線検出器環状体の直径を小さくできる。
【０１４１】
実施例１〜５において、Ｘ線検出部の少なくとも一部を、記ベッドの長手方向においてγ線検出部の一端とγ線検出部の他端との間に形成される領域に位置させてもよい。
【図面の簡単な説明】
【０１４２】
【図１】本発明の好適な一実施例である放射線検査方法に用いられる放射線検査装置の縦断面図である。
【図２】図１のII−II断面図である。
【図３】図１のＸ線源の縦断面を示し、（Ａ）はシャッターが閉じている状態を示す説明図であり、（Ｂ）はシャッターが開いた状態を示す説明図である。
【図４】図１に示す実施例１における信号弁別装置の詳細構成図である。
【図５】図１の統括制御装置の詳細構成図である。
【図６】本実施例の放射線検査方法に適用される制御スケジュールの説明図である。
【図７】図４の波形整形装置に入力されるγ線検出信号の波形を示す説明図である。
【図８】図４の波形整形装置から出力されたγ線検出信号の波形を示す説明図である。
【図９】図１のコンピュータで実行される処理手順のフローチャートである。
【図１０】信号弁別装置の他の実施例の構成図である。
【図１１】本発明の他の実施例である実施例２の放射線検査支援方法に用いられる断層像データの伝送システムの構成図である。
【図１２】本発明の好適な一実施例である実施例３の放射線検査装置の縦断面図である。
【図１３】図１２のＡ−Ａ断面図である。
【図１４】本発明の他の実施例である実施例４の放射線検査装置の縦断面図である。
【図１５】図１４のＢ−Ｂ断面図である。
【図１６】本発明の他の実施例である実施例５の放射線検査装置の縦断面図である。
【図１７】図１６のＣ−Ｃ断面図。
【図１８】本発明の他の実施例である実施例６の放射線検査装置の縦断面図である。
【図１９】図１８のＤ−Ｄ断面図である。
【符号の説明】
【０１４３】
１，１Ａ，１Ｂ，１Ｃ，１Ｄ…放射線検査装置、２，２Ａ，２Ｂ，２Ｃ，２Ｄ…撮像装置、３，３Ａ，３Ｂ…放射線検出器環状体、４…放射線検出器、７，７Ａ…Ｘ線源周方向移動装置、８，８Ａ…Ｘ線源装置、９…Ｘ線源、１０…Ｘ線源駆動装置、１１，８１…軸方向伸縮アーム、１２…ガイドレール、１４…被検診者保持装置、１６…ベッド、１９，１９Ａ…信号弁別装置、２１…γ線弁別装置、２２…Ｘ線検出信号処理装置、２４…電源開閉器、２６…同時計数装置、２７…コンピュータ、２８…記憶装置、２９…表示装置、３０…孔部、３１…切替スイッチ、３２…可動端子、３８…波高分析装置、４２…Ｘ線管、４４…シャッター、４７…統括制御装置、４８…統括制御部、４９…検出器電源制御部、５０…Ｘ線源移動制御部、５１…Ｘ線放出制御部、５２…切替スイッチ制御部、５３…ベッド移動制御部、５４…ボタンスイッチ、６５，６５Ａ…放射線検出部、６６…患部、６７…Ｘ線、６８…γ線、６９，６９Ａ…スリット、７０…駆動装置制御装置、７１…Ｘ線源制御装置、７２…検出器保持装置、７３，７３Ａ…間隙、７４…周方向ガイドレール、７５…Ｘ線源軸方向ガイドレール、７６…検出器軸方向ガイドレール、７７…Ｘ線検出装置、７８…Ｘ線検出器、８０，８０Ａ…γ線検出部、８２…Ｘ線検出部、８４…Ｘ線撮像装置、８５，８５Ａ…γ線撮像装置。
【図１】
2006231083.tif 000003
【図２】
2006231083.tif 000004
【図３】
2006231083.tif 000005
【図４】
2006231083.tif 000006
【図５】
2006231083.tif 000007
【図６】
2006231083.tif 000008
【図７】
2006231083.tif 000009
【図８】
2006231083.tif 000010
【図９】
2006231083.tif 000011
【図１０】
2006231083.tif 000012
【図１１】
2006231083.tif 000013
【図１２】
2006231083.tif 000014
【図１３】
2006231083.tif 000015
【図１４】
2006231083.tif 000016
【図１５】
2006231083.tif 000017
【図１６】
2006231083.tif 000018
【図１７】
2006231083.tif 000019
【図１８】
2006231083.tif 000020
【図１９】
2006231083.tif 000021